(57)【要約】【目的】  本発明の目的は、加熱燃料の加熱により火床が熱劣化するのを抑制することができる火床カバーおよびこれを備えたバーベキューグリルを提供する【構成】  火床カバー１００は、火床２００内に収容可能な箱であり且つ可撓性を有する金属箔で構成されている。この火床カバー１００は、第１、第２箱部１１０、１２０および伸縮構造Ｓ１を備えている。伸縮構造Ｓ１は、第１箱部１１０の第１開口１１２ｅが第２箱部１２０内に位置するように、第１箱部１１０が第２箱部１２０の第２開口１２２ｅから第２箱部１２０内に挿入され、且つ第１箱部１１０が第２箱部１２０に対して長手方向Ｙにスライド自在に重合した構造である。【選択図】      図１Ａ
2015084889.tif 000002
【特許請求の範囲】
【請求項１】
火床内に収容可能な箱であり且つ可撓性を有する金属箔で構成された火床カバーであって、
当該火床カバーの長手方向、短手方向、半径方向又は高さ方向に伸縮可能な伸縮構造を備えている火床カバー。
【請求項２】
請求項１記載の火床カバーにおいて、
第１箱部と、
第２箱部とをさらに備えており、
前記第１箱部は、第１底板と、
前記第１底板上に設けられた平面視略Ｕ字状であり且つ前記長手方向又は前記短手方向の一方に開口した第１開口を有する第１周壁とを有しており、
前記第２箱部は、第２底板と、
前記第２底板上に設けられた平面視略Ｕ字状であり且つ前記長手方向又は前記短手方向の他方に開口した第２開口を有する第２周壁とを有しており、
前記伸縮構造は、前記第１箱部の前記第１開口が前記第２箱部内に位置するように、前記第１箱部が前記第２箱部の前記第２開口から当該第２箱部内に挿入され、且つ前記第１箱部が前記第２箱部に対して前記長手方向又は前記短手方向にスライド自在に重合した構造である火床カバー。
【請求項３】
請求項２に記載の火床カバーにおいて、
前記第１、第２箱部に設けられた第１、第２係合部をさらに備えており、
前記第１箱部が前記第２箱部に対して重合する重合量が相違する複数の箇所で、前記第１、第２係合部が相互に係合可能である火床カバー。
【請求項４】
請求項３記載の火床カバーにおいて、
前記第１係合部は、前記第１箱部に前記長手方向又は前記短手方向に間隔をあけて設けられた複数の第１凸部と、
前記第１凸部の裏側に設けられた複数の第１凹部とを有しており、
前記第２係合部は、前記第２箱部に前記長手方向又は前記短手方向に間隔をあけて設けられており且つ前記第１凹部に係合可能である複数の第２凸部と、
前記第２凸部の裏側に設けられた複数の第２凹部とを有している火床カバー。
【請求項５】
請求項３記載の火床カバーにおいて、
前記第１係合部は、前記第１箱部に前記長手方向又は前記短手方向に間隔をあけて設けられた複数の第１凹部を有しており、
前記第２係合部は、前記第２箱部に前記長手方向又は前記短手方向に間隔をあけて設けられており且つ前記第１凹部に係合可能である複数の第２凸部を有している火床カバー。
【請求項６】
請求項１記載の火床カバーにおいて、
第１箱部と、
第２箱部とをさらに備えており、
前記第１箱部は、第１底板と、
前記第１底板上に設けられた平面視略半円状であり且つ前記半径方向のうちの一つの方向の一方に開口した第１開口を有する第１周壁とを有しており、
前記第２箱部は、第２底板と、
前記第２底板上に設けられた平面視略半円状であり且つ前記一つの方向の他方に開口した第２開口を有する第２周壁とを有しており、
前記伸縮構造は、前記第１箱部の前記第１開口が前記第２箱部内に位置するように、前記第１箱部が前記第２箱部の前記第２開口から当該第２箱部内に挿入され、且つ前記第１箱部が前記第２箱部に対して前記一つの方向にスライド自在に重合した構造である火床カバー。
【請求項７】
請求項６記載の火床カバーにおいて、
前記第１、第２箱部に設けられた第１、第２係合部をさらに備えており、
前記第１箱部が前記第２箱部に対して重合する重合量が相違する複数の箇所で、前記第１、第２係合部が相互に係合可能である火床カバー。
【請求項８】
請求項７記載の火床カバーにおいて、
前記第１係合部は、前記第１箱部に前記一つの方向又は当該火床カバーの周方向に間隔をあけて設けられた複数の第１凸部と、
前記第１凸部の裏側に設けられた複数の第１凹部とを有しており、
前記第２係合部は、前記第２箱部に前記一つの方向又は前記周方向に間隔をあけて設けられており且つ前記第１凹部に係合可能である複数の第２凸部と、
前記第２凸部の裏側に設けられた複数の第２凹部を有している火床カバー。
【請求項９】
請求項７記載の火床カバーにおいて、
前記第１係合部は、前記第１箱部に前記一つの方向又は当該火床カバーの周方向に間隔をあけて設けられた複数の第１凹部を有しており、
前記第２係合部は、前記第２箱部に前記一つの方向又は前記周方向に間隔をあけて設けられており且つ前記第１凹部に係合可能である複数の第２凸部を有している火床カバー。
【請求項１０】
請求項２〜９の何れかに記載の火床カバーにおいて、
前記第１箱部は、前記第１周壁の上端に設けられ、外側に延びており且つ前記火床の周壁上又はフランジ上に載置可能な第１フランジをさらに有し、
前記第２箱部は、前記第２周壁の上端に設けられ、外側に延びており且つ前記火床の前記周壁上又はフランジ上に載置可能な第２フランジをさらに有している火床カバー。
【請求項１１】
請求項１記載の火床カバーにおいて、
筒部と、
本体部とを備えており、
前記本体部は、底板と、
前記底板上に設けられた筒である周壁とを有しており、
前記伸縮構造は、前記本体部の前記周壁が前記筒部に内嵌又は外嵌し、且つ前記本体部の前記周壁が前記筒部に対して前記高さ方向にスライド自在に重合した構造である火床カバー。
【請求項１２】
請求項１１記載の火床カバーにおいて、
前記本体部の前記周壁に設けられた第１係合部と、
前記筒部に設けられた第２係合部とをさらに備えており、
前記本体部の前記周壁が前記筒部に対して重合する重合量が相違する複数の箇所で、前記第１、第２係合部が相互に係合可能である火床カバー。
【請求項１３】
請求項１２記載の火床カバーにおいて、
前記第１係合部は、前記本体部の前記周壁に前記高さ方向に間隔をあけて設けられた複数の第１凸部と、
前記第１凸部の裏側に設けられた複数の第１凹部とを有しており、
前記第２係合部は、前記筒部に前記高さ方向に間隔をあけて設けられており且つ前記第１凹部に係合可能である複数の第２凸部と、
前記第２凸部の裏側に設けられた複数の第２凹部とを有している火床カバー。
【請求項１４】
請求項１２記載の火床カバーにおいて、
前記第１係合部は、前記本体部の前記周壁に前記高さ方向に間隔をあけて設けられた複数の第１凹部を有しており、
前記第２係合部は、前記筒部に前記高さ方向に間隔をあけて設けられており且つ前記第１凹部に係合可能である複数の第２凸部を有している火床カバー。
【請求項１５】
請求項１２記載の火床カバーにおいて、
前記第２係合部は、前記筒部に前記高さ方向に間隔をあけて設けられた複数の第２凸部と、
前記第２凸部の裏側に設けられた複数の第２凹部とを有しており、
前記第１係合部は、前記本体部の前記周壁に前記高さ方向に間隔をあけて設けられており且つ前記第２凹部に係合可能な複数の第１凸部と、
前記第１凸部の裏側に設けられた複数の第１凹部とを有している火床カバー。
【請求項１６】
請求項１２記載の火床カバーにおいて、
前記第２係合部は、前記筒部に前記高さ方向に間隔をあけて設けられた複数の第２凹部を有しており、
前記第１係合部は、前記本体部の前記周壁に前記高さ方向に間隔をあけて設けられており且つ前記第２凹部に係合可能な複数の第１凸部を有している火床カバー。
【請求項１７】
請求項１１〜１６の何れかに記載の火床カバーにおいて、
前記筒部の上端に設けられ、外側に延びており且つ前記火床の周壁上又はフランジ上に載置可能なフランジをさらに備えている火床カバー。
【請求項１８】
請求項１記載の火床カバーにおいて、
底板と、
前記底板の端に設けられた周壁とをさらに備えており、
前記伸縮構造は、前記底板および前記周壁に設けられた蛇腹部を有しており、
前記蛇腹部は、前記長手方向又は前記短手方向に伸縮可能である火床カバー。
【請求項１９】
請求項１記載の火床カバーにおいて、
底板と、
前記底板の端に設けられた周壁とをさらに備えており、
前記伸縮構造は、前記周壁に設けられており且つ前記高さ方向に伸縮可能である蛇腹部を有している火床カバー。
【請求項２０】
請求項１８〜１９の何れかに記載の火床カバーにおいて、
前記周壁の上端に設けられ、外側に延びており且つ前記火床の周壁上又はフランジ上に載置可能なフランジをさらに備えている火床カバー。
【請求項２１】
火床と、
前記火床内に収容された請求項１〜２０の何れかに記載の火床カバーとを備えたバーベキューグリル。
【発明の詳細な説明】
【技術分野】
【０００１】
本発明は、バーベキューグリルの火床内に配置可能な火床カバーおよびこれを備えたバーベキューグリルに関する。
【背景技術】
【０００２】
この種のバーベキューグリルとしては下記特許文献１に記載されたものがある。このバーベキューグリルは使い捨て可能な火床を備えている。この火床は、段ボール製の箱と、この箱の内面に取り付けられたアルミ箔のシートとを有している。
【先行技術文献】
【特許文献】
【０００３】
【特許文献１】実用新案登録第３０１５２７５号公報
【発明の概要】
【発明が解決しようとする課題】
【０００４】
上記火床は、段ボール製の箱の内面にアルミ箔のシートが取り付けられただけであることから、当該火床内の炭や薪等の加熱燃料により加熱されると、シートが剥がれる可能性がある。シートが剥がれると、加熱燃料の加熱から箱を保護することができない。
【０００５】
本発明は、上記事情に鑑みて創案されたものであって、その目的とするところは、加熱燃料の加熱により火床が熱劣化するのを抑制することができる火床カバーおよびこれを備えたバーベキューグリルを提供することにある。
【課題を解決するための手段】
【０００６】
上記課題を解決するために、本発明の火床カバーは、火床内に収容可能な箱であり且つ可撓性を有する金属箔で構成されている。この火床カバーは、当該火床カバーの長手方向、短手方向、半径方向又は高さ方向に伸縮可能な伸縮構造を備えている。
【０００７】
このような態様の火床カバーは、火床内に収容された状態で、当該火床カバー内に加熱燃料が挿入され、加熱される。しかし、当該火床カバーが加熱燃料の加熱から火床を保護するので、加熱燃料の加熱により火床が熱劣化するのを抑制することができる。しかも、火床カバーによって、煤や食材（肉）の油が火床の内面に付着するのを防止することができる。さらに、伸縮構造が長手方向、短手方向、半径方向又は高さ方向に伸縮可能であるので、当該火床カバーのサイズを様々なサイズの火床に合わせることができる。
【０００８】
上記火床カバーは、第１箱部と、第２箱部とをさらに備えた構成とすることが可能である。前記第１箱部は、第１底板と、第１周壁とを有する構成とすることが可能である。前記第１周壁は、前記第１底板上に設けられた平面視略Ｕ字状であり且つ前記長手方向又は前記短手方向の一方に開口した第１開口を有する構成とすることが可能である。前記第２箱部は、第２底板と、第２周壁とを有する構成とすることが可能である。前記第２周壁は、前記第２底板上に設けられた平面視略Ｕ字状であり且つ前記長手方向又は前記短手方向の他方に開口した第２開口を有する構成とすることが可能である。前記伸縮構造は、前記第１箱部の前記第１開口が前記第２箱部内に位置するように、前記第１箱部が前記第２箱部の前記第２開口から当該第２箱部内に挿入され、且つ前記第１箱部が前記第２箱部に対して前記長手方向又は前記短手方向にスライド自在に重合した構造とすることが可能である。
【０００９】
このような態様の火床カバーによる場合、伸縮構造が、第１箱部が第２箱部に対して長手方向又は短手方向にスライド自在に重合した簡単な構造であるため、当該火床カバーの低コスト化を図ることができる。
【００１０】
上記火床カバーは、前記第１、第２箱部に設けられた第１、第２係合部をさらに備えた構成とすることが可能である。前記第１箱部が前記第２箱部に対して重合する重合量が相違する複数の箇所で、前記第１、第２係合部が相互に係合可能な構成とすることが可能である。
【００１１】
このような態様の火床カバーによる場合、第１、第２係合部が相互に係合することによって、第１箱部が第２箱部に対して重合した状態が維持されるので、第１箱部が第２箱部に重合した状態が安定する。しかも、第１、第２の係合部が相互に係合する箇所を変更することによって、第１箱部の第２箱部に対する重合量を変更することができる。
【００１２】
前記第１係合部は、複数の第１凸部と、複数の第１凹部とを有する構成とすることが可能である。前記第１凸部は、前記第１箱部に前記長手方向又は前記短手方向に間隔をあけて設けられた構成とすることが可能である。前記第１凹部は、前記第１凸部の裏側に設けられた構成とすることが可能である。前記第２係合部は、複数の第２凸部と、複数の第２凹部とを有する構成とすることが可能である。前記第２凸部は、前記第２箱部に前記長手方向又は前記短手方向に間隔をあけて設けられており且つ前記第１凹部に係合可能な構成とすることが可能である。前記第２凹部は、前記第２凸部の裏側に設けられた構成とすることが可能である。
【００１３】
又は、前記第１係合部は、複数の第１凹部を有する構成とすることが可能である。前記第１凹部は、前記第１箱部に前記長手方向又は前記短手方向に間隔をあけて設けられた構成とすることが可能である。前記第２係合部は、複数の第２凸部を有する構成とすることが可能である。前記第２凸部は、前記第２箱部に前記短手方向に間隔をあけて設けられており且つ前記第１凹部に係合可能な構成とすることが可能である。
【００１４】
これらの態様の火床カバーによる場合、第２凸部が第１凹部に係合されることによって、第１箱部が第２箱部に重合した状態が維持されるので、第１箱部が第２箱部に重合した状態が安定する。しかも、第２凸部と第１凹部との係合数を増減させることによって、第１箱部の第２箱部に対する重合量を簡単に変更することができる。
【００１５】
前記第１箱部は、第１底板と、前記第１底板上に設けられた平面視略半円状であり且つ前記半径方向のうちの一つの方向の一方に開口した第１開口を有する第１周壁とを有する構成とすることが可能である。前記第２箱部は、第２底板と、前記第２底板上に設けられた平面視略半円状であり且つ前記一つの方向の他方に開口した第２開口を有する第２周壁とを有する構成とすることが可能である。前記伸縮構造は、前記第１箱部の前記第１開口が前記第２箱部内に位置するように、前記第１箱部が前記第２箱部の前記第２開口から当該第２箱部内に挿入され、且つ前記第１箱部が前記第２箱部に対して前記一つの方向にスライド自在に重合した構造とすることが可能である。
【００１６】
このような態様の火床カバーによる場合、伸縮構造が、第１箱部が第２箱部に対して一つの方向にスライド自在に重合した簡単な構造であるため、当該火床カバーの低コスト化を図ることができる。
【００１７】
上記火床カバーは、前記第１、第２箱部に設けられた第１、第２係合部をさらに備えた構成とすることが可能である。前記第１箱部が前記第２箱部に対して重合する重合量が相違する複数の箇所で、前記第１、第２係合部が相互に係合可能な構成とすることが可能である。
【００１８】
このような態様の火床カバーによる場合、第１、第２係合部が相互に係合することによって、第１箱部が第２箱部に対して重合した状態が維持されるので、第１箱部が第２箱部に重合した状態が安定する。しかも、第１、第２の係合部が相互に係合する箇所を変更することによって、第１箱部の第２箱部に対する重合量を変更することができる。
【００１９】
前記第１係合部は、複数の第１凸部と、複数の第１凹部とを有する構成とすることが可能である。前記第１凸部は、前記第１箱部に前記一つの方向又は火床カバーの周方向に間隔をあけて設けられた構成とすることが可能である。前記第１凹部は、前記第１凸部の裏側に設けられた構成とすることが可能である。前記第２係合部は、複数の第２凸部と、複数の第２凹部とを有する構成とすることが可能である。前記第２凸部は、前記第２箱部に前記一つの方向又は前記周方向に間隔をあけて設けられており且つ前記第１凹部に係合可能な構成とすることが可能である。前記第２凹部は、前記第２凸部の裏側に設けられた構成とすることが可能である。
【００２０】
又は、前記第１係合部は、複数の第１凹部を有する構成とすることが可能である。前記第１凹部は、前記第１箱部に前記一つの方向又は火床カバーの周方向に間隔をあけて設けられた構成とすることが可能である。前記第２係合部は、複数の第２凸部を有する構成とすることが可能である。前記第２凸部は、前記第２箱部に前記一つの方向又は前記周方向に間隔をあけて設けられており且つ前記第１凹部に係合可能な構成とすることが可能である。
【００２１】
これらの態様の火床カバーによる場合、第２凸部が第１凹部に係合されることによって、第１箱部が第２箱部に重合した状態が維持されるので、第１箱部が第２箱部に重合した状態が安定する。しかも、第２凸部と第１凹部との係合数を増減させることによって、第１箱部の第２箱部に対する重合量を簡単に変更することができる。
【００２２】
前記第１箱部は、第１フランジをさらに有した構成とすることが可能である。前記第１フランジは、前記第１周壁の上端に設けられ、外側に延びており且つ前記火床の周壁上又はフランジ上に載置可能な構成とすることが可能である。前記第２箱部は、第２フランジをさらに有した構成とすることが可能である。前記第２フランジは、前記第２周壁の上端に設けられ、外側に延びており且つ前記火床の周壁上又はフランジ上に載置可能な構成とすることが可能である。
【００２３】
このような態様の火床カバーによる場合、第１、第２フランジが火床の周壁上又はフランジ上に載置されることによって、火床カバーが火床内に収容された状態が安定する。
【００２４】
上記火床カバーは、筒部と、本体部とを備えた構成とすることが可能である。前記本体部は、底板と、前記底板上に設けられた筒である周壁とを有する構成とすることが可能である。前記伸縮構造は、前記本体部の前記周壁が前記筒部に内嵌又は外嵌し、且つ前記本体部の前記周壁が前記筒部に対して前記高さ方向にスライド自在に重合した構造とすることが可能である。
【００２５】
このような態様の火床カバーによる場合、伸縮構造が本体部の周壁が筒部に対して高さ方向にスライド自在に重合した簡単な構造であるため、当該火床カバーの低コスト化を図ることができる。
【００２６】
上記火床カバーは、前記本体部の前記周壁に設けられた第１係合部と、前記筒部に設けられた第２係合部とをさらに備えた構成とすることが可能である。前記本体部の前記周壁が前記筒部に対して重合する重合量が相違する複数の箇所で、前記第１、第２係合部が相互に係合可能な構成とすることが可能である。
【００２７】
このような態様の火床カバーによる場合、第１、第２係合部が相互に係合することによって、本体部が筒部に対して重合した状態が維持されるので、本体部が筒部に重合した状態が安定する。しかも、第１、第２の係合部が相互に係合する箇所を変更することによって、本体部の筒部に対する重合量を変更することができる。
【００２８】
前記第１係合部は、複数の第１凸部と、複数の第１凹部とを有する構成とすることが可能である。前記第１凸部は、前記本体部の前記周壁に前記高さ方向に間隔をあけて設けられた構成とすることが可能である。前記第１凹部は、前記第１凸部の裏側に設けられた構成とすることが可能である。前記第２係合部は、複数の第２凸部と、複数の第２凹部とを有する構成とすることが可能である。前記第２凸部は、前記筒部に前記高さ方向に間隔をあけて設けられており且つ前記第１凹部に係合可能な構成とすることが可能である。前記第２凹部は、前記第２凸部の裏側に設けられた構成とすることが可能である。
【００２９】
又は、前記第１係合部は、複数の第１凹部を有する構成とすることが可能である。前記第１凹部は、前記本体部の前記周壁に前記高さ方向に間隔をあけて設けられた構成とすることが可能である。前記第２係合部は、複数の第２凸部を有する構成とすることが可能である。前記第２凸部は、前記筒部に前記高さ方向に間隔をあけて設けられており且つ前記第１凹部に係合可能な構成とすることが可能である。
【００３０】
これらの態様の火床カバーによる場合、第２凸部が第１凹部に係合されることによって、本体部の周壁が筒部に重合した状態が維持されるので、本体部の周壁が筒部に重合した状態が安定する。しかも、第２凸部と第１凹部との係合数を増減させることによって、本体部の周壁の筒部に対する重合量を簡単に変更することができる。
【００３１】
前記第２係合部は、複数の第２凸部と、複数の第２凹部とを有する構成とすることが可能である。前記第２凸部は、前記筒部に前記高さ方向に間隔をあけて設けられた構成とすることが可能である。前記第２凹部は、前記第２凸部の裏側に設けられた構成とすることが可能である。前記第１係合部は、複数の第１凸部と、複数の第１凹部とを有する構成とすることが可能である。前記第１凸部は、前記本体部の前記周壁に前記高さ方向に間隔をあけて設けられており且つ前記第２凹部に係合可能な構成とすることが可能である。前記第１凹部は、前記第１凸部の裏側に設けられた構成とすることが可能である。
【００３２】
又は、前記第２係合部は、複数の第２凹部を有する構成とすることが可能である。前記第２凹部は、前記筒部に前記高さ方向に間隔をあけて設けられた構成とすることが可能である。前記第１係合部は、複数の第１凸部を有する構成とすることが可能である。前記第１凸部は、前記本体部の前記周壁に前記高さ方向に間隔をあけて設けられており且つ前記第２凹部に係合可能な構成とすることが可能である。
【００３３】
これらの態様の火床カバーによる場合、第１凸部が第２凹部に係合されることによって、本体部の周壁が筒部に重合した状態が維持されるので、本体部の周壁が筒部に重合した状態が安定する。しかも、第１凸部と第２凹部との係合数を増減させることによって、本体部の周壁の筒部に対する重合量を簡単に変更することができる。
【００３４】
上記火床カバーは、前記筒部の上端に設けられ、外側に延びており且つ前記火床の周壁上又はフランジ上に載置可能なフランジをさらに備えた構成とすることが可能である。
【００３５】
このような態様の火床カバーによる場合、フランジが火床の周壁上又はフランジ上に載置されることによって、火床カバーが火床内に収容された状態が安定する。
【００３６】
上記火床カバーは、底板と、前記底板の端に設けられた周壁とをさらに備えた構成とすることが可能である。前記伸縮構造は、前記底板および前記周壁に設けられた蛇腹部を有しする構成とすることが可能である。前記蛇腹部は、前記長手方向又は前記短手方向に伸縮可能な構成とすることが可能である。又は、前記伸縮構造は、前記周壁に設けられており且つ前記高さ方向に伸縮可能である蛇腹部を有する構成とすることが可能である。
【００３７】
このような態様の火床カバーによる場合、蛇腹部を伸縮させることよって、当該火床カバーのサイズを火床のサイズに簡単に合わせることができる。
【００３８】
上記火床カバーは、前記周壁の上端に設けられ、外側に延びており且つ前記火床の周壁上又はフランジ上に載置可能なフランジをさらに備えた構成とすることが可能である。
【００３９】
このような態様の火床カバーによる場合、フランジが火床の周壁上又はフランジ上に載置されることによって、火床カバーが火床内に収容された状態が安定する。
【００４０】
本発明のバーベキューグリルは、火床と、上述した何れかの態様の火床カバーとを備えている。前記火床カバーは、前記火床内に収容されている。
【図面の簡単な説明】
【００４１】
【図１Ａ】本発明の実施例１に係る火床カバーの正面、平面および右側面を表した斜視図であって、当該火床カバーの第１、第２箱部が相互に重合させた状態を示す図である。
【図１Ｂ】火床カバーの背面、底面および左側面を表した斜視図であって、当該火床カバーの第１、第２箱部が相互に重合した状態を示す図である。
【図１Ｃ】前記火床カバーの正面、平面および右側面を表した斜視図であって、当該火床カバーの第１、第２箱部が分離した状態を示す図である。
【図２Ａ】本発明の実施例１に係るバーベキューグリルの正面図であって、火床と前記火床カバーとの配置関係が表された図である。
【図２Ｂ】前記バーベキューグリルの右側面図であって、前記火床と前記火床カバーとの配置関係が表された図である。
【図３Ａ】本発明の実施例２に係る火床カバーの正面図であって、当該火床カバーの本体部と筒部とが重合した状態を示す図である。
【図３Ｂ】前記火床カバーの図３Ａ中の３Ｂ−３Ｂ断面図である。
【図４Ａ】前記火床カバーの正面図であって、当該火床カバーの本体部と筒部とが分離した状態を示す図である。
【図４Ｂ】前記火床カバーの図４Ａ中の４Ｂ−４Ｂ断面図である。
【図５Ａ】本発明の実施例２に係るバーベキューグリルの正面図であって、火床と前記火床カバーとの配置関係が表された図である。
【図５Ｂ】前記バーベキューグリルの右側面図であって、前記火床と前記火床カバーとの配置関係が表された図である。
【図６】本発明の実施例３に係る火床カバーの正面、平面および右側面を表した斜視図である。
【図７】本発明の実施例４に係る火床カバーの正面、平面および右側面を表した斜視図である。
【発明を実施するための形態】
【００４２】
以下、本発明の実施例１〜４について説明する。
【実施例１】
【００４３】
まず、本発明の実施例１に係る火床カバー１００について図１Ａ〜図１Ｃを参照しつつ説明する。火床カバー１００は、火床２００（図２Ａ〜図２Ｂ参照）内に収容可能な箱であって、可撓性を有する金属箔（例えば、アルミ箔）で構成されている。火床カバー１００は、第１箱部１１０と、第２箱部１２０と、伸縮構造Ｓ１と、第１係合部１３０と、第２係合部１４０とを備えている。以下、火床カバー１００の各構成要素について詳しく説明する。図１Ａ〜図１Ｃに示すＹが火床カバー１００の長手方向であり。図１Ａ〜図１Ｃに示すＸが火床カバー１００の短手方向であり、図１Ａ〜図１Ｃに示すＺが火床カバー１００の高さ方向である。
【００４４】
第１箱部１１０は、第１底板１１１と、第１周壁１１２と、第１フランジ１１３とを有している。第１底板１１１は金属箔（例えば、アルミ箔）で構成された矩形状の板である。第１底板１１１は、第１、第２、第３および第４端を有している。第１端は第１底板１１１の長手方向Ｙの一方側の端である。第２端は第１底板１１１の長手方向Ｙの他方側の端である。第３端は第１底板１１１の短手方向Ｘの一方側の端である。第４端は第１底板１１１の短手方向Ｘの他方側の端である。
【００４５】
第１周壁１１２は、第１底板１１１上に設けられた金属箔（例えば、アルミ箔）製の平面視略Ｕ字状の板である。第１周壁１１２の高さ寸法は、火床２００の周壁２２０（図２Ａ参照）の高さ寸法よりも若干（第１フランジ１１３の厚み分）大きい。第１周壁１１２は、Ｙ側壁１１２ａと、Ｘ１側壁１１２ｂと、Ｘ２側壁１１２ｃと、第１開口１１２ｄと、複数の第１通気孔１１２ｅとを有している。
【００４６】
Ｙ側壁１１２ａは、第１底板１１１の第１端に立設された台形状の板であって、Ｘ１、Ｘ２側壁１１２ｂ、１１２ｃを連結している。Ｙ側壁１１２ａは、Ｙ側壁１１２ａと第２箱部１２０の後述する第２周壁１２２のＹ側壁１２２ａとの間の距離が漸次離れるように斜め上方に延びている。換言すると、Ｙ側壁１１２ａは、長手方向Ｙの一方側（火床カバー１００の外側）に傾斜している。Ｙ側壁１１２ａは、火床２００の周壁２２０の第１側壁２２１に対して間隙Ｇ（図２Ａ参照）を有して対向配置可能である。Ｙ側壁１１２ａの下端部には、当該Ｙ側壁１１２ａを貫通した複数の第１通気孔１１２ｅが短手方向Ｘに間隔をあけて設けられている。第１通気孔１１２ｅは間隙Ｇを介して火床２００の後述する通気孔２４０（図２Ｂ参照）に連通可能（通気可能）である。
【００４７】
Ｘ１、Ｘ２側壁１１２ｂ、１１２ｃは、第１底板１１１の第３、第４端に立設された台形状の板である。Ｘ１、Ｘ２側壁１１２ｂ、１１２ｃは、Ｘ１、Ｘ２側壁１１２ｂ、１１２ｃの間の距離が漸次離れるように斜め上方に延びている。換言すると、Ｘ１側壁１１２ｂは、短手方向Ｘの一方側（火床カバー１００の外側）に傾斜し、Ｘ２側壁１１２ｃは、短手方向Ｘの他方側（火床カバー１００の外側）に傾斜している。Ｘ１、Ｘ２側壁１１２ｂ、１１２ｃの傾斜角は、火床２００の周壁２２０の第３、第４側壁２２３、２２４の傾斜角と略同じである。Ｘ１、Ｘ２側壁１１２ｂ、１１２ｃが、第３、第４側壁２２３、２２４に当接可能となっている。
【００４８】
第１開口１１２ｄは、第１周壁１１２が長手方向Ｙの一方に開口するように第１周壁１１２に設けられている。具体的には、第１開口１１２ｄは、第１底板１１１の第２端およびＸ１、Ｘ２側壁１１２ｂ、１１２ｃの長手方向Ｙの他端によって区画された台形状の開口である。
【００４９】
第１フランジ１１３は、第１周壁１１２（Ｙ１、Ｘ１およびＸ２側壁１１２ａ、１１２ｂ、１１２ｃ）の上端に設けられた金属箔（例えば、アルミ箔）製の平面視略Ｕ字状の板である。
【００５０】
第２箱部１２０は第１箱部１１０の対称形状である。第２箱部１２０は、第２底板１２１と、第２周壁１２２と、第２フランジ１２３とを有している。第２底板１２１は金属箔（例えば、アルミ箔）で構成された矩形状の板である。第２底板１２１は、第１、第２、第３および第４端を有している。第１端は第２底板１２１の長手方向Ｙの他方側の端である。第２端は第２底板１２１の長手方向Ｙの一方側の端である。第３端は第２底板１２１の短手方向Ｘの一方側の端である。第４端は第２底板１２１の短手方向Ｘの他方側の端である。
【００５１】
第２周壁１２２は、第２底板１２１上に設けられた金属箔（例えば、アルミ箔）製の平面視略Ｕ字状の板である。第２周壁１２２の高さ寸法は、火床２００の周壁２２０（図２Ａ参照）の高さ寸法よりも若干（第２フランジ１２３の厚み分）大きい。第２周壁１２２は、Ｙ側壁１２２ａと、Ｘ１側壁１２２ｂと、Ｘ２側壁１２２ｃと、第２開口１２２ｄと、複数の第２通気孔１２２ｅとを有している。
【００５２】
Ｙ側壁１２２ａは、第２底板１２１の第１端に立設された台形状の板であって、Ｘ１、Ｘ２側壁１２２ｂ、１２２ｃを連結している。Ｙ側壁１２２ａは、Ｙ側壁１２２ａと第１箱部１２０の周壁１１２のＹ側壁１１２ａとの間の距離が漸次離れるように斜め上方に延びている。換言すると、Ｙ側壁１２２ａは、長手方向Ｙの他方側（火床カバー１００の外側）に傾斜している。Ｙ側壁１２２ａは、火床２００の周壁２２０の第２側壁２２２に対して間隙Ｇ（図２Ａ参照）を有して対向配置可能である。Ｙ側壁１２２ａの下端部には、当該Ｙ側壁１２２ａを貫通した複数の第２通気孔１２２ｅが短手方向Ｘに間隔をあけて設けられている。第２通気孔１２２ｅは間隙Ｇを介して火床２００の通気孔２４０（図２Ｂ参照）に連通可能（通気可能）である。
【００５３】
Ｘ１、Ｘ２側壁１２２ｂ、１２２ｃは、第２底板１２１の第３、第４端に立設された台形状の板である。Ｘ１、Ｘ２側壁１２２ｂ、１２２ｃは、Ｘ１、Ｘ２側壁１２２ｂ、１２２ｃの間の距離が漸次離れるように斜め上方に延びている。換言すると、Ｘ１側壁１２２ｂは、短手方向Ｘの一方側（火床カバー１００の外側）に傾斜し、Ｘ２側壁１２２ｃは、短手方向Ｘの他方側（火床カバー１００の外側）に傾斜している。Ｘ１、Ｘ２側壁１２２ｂ、１２２ｃの傾斜角は、火床２００の周壁２２０の第３、第４側壁２２３、２２４の傾斜角と略同じである。Ｘ１、Ｘ２側壁１２２ｂ、１２２ｃが、第３、第４側壁２２３、２２４に当接可能となっている。
【００５４】
第２開口１２２ｄは、第２周壁１２２が長手方向Ｙの他方に開口するように第２周壁１２２に設けられている。具体的には、第２開口１２２ｄは、第２底板１２１の第２端およびＸ１、Ｘ２側壁１２２ｂ、１２２ｃの長手方向Ｙの一端によって区画された台形状の開口である。
【００５５】
第２フランジ１２３は、第２周壁１２２（Ｙ１、Ｘ１、Ｘ２側壁１２２ａ、１２２ｂ、１２２ｃ）の上端に設けられた金属箔（例えば、アルミ箔）製の平面視略Ｕ字状の板である。
【００５６】
伸縮構造Ｓ１は、Ｘ１、Ｘ２側壁１１２ｂ、１１２ｃの一部および第１開口１１２ｄが第２箱部１２０内に位置するように、第１箱部１１０が第２開口１２２ｄから当該第２箱部１２０内に挿入されており、且つ第１箱部１１０が第２箱部１２０に対して長手方向Ｙにスライド自在に重合した構造となっている。本実施例１では、第１箱部１１０の第１底板１１１およびＸ１、Ｘ２側壁１１２ｂ、１１２ｃが、第２箱部１２０の第１底板１２１およびＸ１、Ｘ２側壁１２２ｂ、１２２ｃにスライド自在に重合している。
【００５７】
第１係合部１３０はＸ１、Ｘ２側壁１１２ｂ、１１２ｃに設けられている。第１係合部１３０は、複数の第１凸部１３１と、複数の第１凹部１３２とを有している。第１凸部１３１は、Ｘ１、Ｘ２側壁１１２ｂ、１１２ｃに長手方向Ｙに間隔をあけて設けられた内側に凸の突脈であって、Ｘ１、Ｘ２側壁１１２ｂ、１１２ｃの傾斜方向に延びている。第１凹部１３２は、第１凸部１３１の裏側（本実施例１では外側）に設けられた内側に凹の凹部であって、前記傾斜方向に延びている。
【００５８】
第２係合部１４０はＸ１、Ｘ２側壁１２２ｂ、１２２ｃに設けられている。第２係合部１４０は、複数の第２凸部１４１と、複数の第２凹部１４２とを有している。第２凸部１４１は、Ｘ１、Ｘ２側壁１２２ｂ、１２２ｃに長手方向Ｙに間隔をあけて設けられた内側に凸の突脈であって、Ｘ１、Ｘ２側壁１２２ｂ、１２２ｃの傾斜方向に延びている。第２凸部１４１が第１凹部１３２に係合可能である。第２凹部１４２は、第２凸部１４１の裏側（本実施例１では外側）に設けられた内側に凹の凹部であって、前記傾斜方向に延びている。
【００５９】
第１、第２係合部１３０、１４０は、第１箱部１１０が第２箱部１２０に対して重合する重合量が相違する複数の箇所で、相互に係合可能となっている。具体的には、第２凸部１４１と第１凹部１３２との係合数が増減することによって、第１箱部１１０の第２箱部１２０に対する重合量を変化させることができる。
【００６０】
以上のような構成の火床カバー１００は、次のように製造される。まず、可撓性を有する金属箔（例えば、厚さ０.０３５〜０.０６ｍｍのアルミ箔）を図示しない金型を用いてプレス成形することによって、第１箱部１１０の第１底板１１１および第１周壁１１２と第２箱部１２０の第２底板１２１および第２周壁１２２とが接合された上部開放の箱が形成される。その後、前記箱を当該箱の長手方向において略半分に切断する。切断された一方の半分が第１箱部１１０、他方の半分が第２箱部１２０となる。このようにして火床カバー１００が製造される。
【００６１】
以下、本発明の実施例１に係るバーベキューグリルについて図２Ａ〜図２Ｂを参照しつつ説明する。図２Ａ〜図２Ｂに示すバーベキューグリルは、火床カバー１００と、火床２００を備えている。以下、このバーベキューグリルについて詳しく説明する。
【００６２】
火床２００は、火床カバー１００を収容可能な金属製（例えば、ステンレスやスチール製）の箱である。火床２００は、底板２１０と、周壁２２０と、フランジ２３０と、複数の通気孔２４０を有している。
【００６３】
底板２１０は、金属製（例えば、ステンレスやスチール製）の矩形状の板である。底板２１０は、第１端２１１と、第２端２１２と、第３端２１３と、第４端２１４とを有している。第１端２１１は、底板２１０の長手方向Ｙの一方側の端である。第２端２１２は、底板２１０の長手方向Ｙの他方側（第１端２２０の反対側）の端である。第３端２１３は、底板２１０の短手方向Ｘの一方側の端である。第４端２１４は、底板２１０の短手方向Ｘの他方側（第３端２１３の反対側）の端である。
【００６４】
周壁２２０は、第１側壁２２１と、第２側壁２２２と、第３側壁２２３と、第４側壁２２４とを有している。第１側壁２２１は、底板２１０の第１端２１１に立設された金属製（例えば、ステンレスやスチール製）の台形状の板であって、底板２１０に対して垂直に延びている。第２側壁２２２は、底板２１０の第２端２１２に立設された金属製（例えば、ステンレスやスチール製）の台形状の板であって、底板２１０に対して垂直に延びている。第１側壁２２１の下端部には、当該第１側壁２２１を貫通した通気孔２４０が設けられている。第２側壁２２２の下端部には、当該第２側壁２２２を貫通した通気孔２４０（図示なし）が設けられている。
【００６５】
第３側壁２２３は、底板２１０の第３端２１３に立設された金属製（例えば、ステンレスやスチール製）の矩形状の板である。第３側壁２２３は、第１、第２側壁２２０、２３０の短手方向Ｘの一端間を連結している。第４側壁２２４は、底板２１０の第４端２１４に立設された金属製（例えば、ステンレスやスチール製）の矩形状の板である。第４側壁２２４は、第１、第２側壁２２０、２３０の短手方向Ｘの他端間を連結している。第３側壁２２３と第４側壁２２４とは、当該第３、第４側壁２４０、２５０間の距離が漸次離れるように斜め上方に延びている。換言すると、第３側壁２２３は、短手方向Ｘの一方側（火床２００の外側）に傾斜しており、第４側壁２２４は、短手方向Ｘの他方側（火床２００の外側）に傾斜している。
【００６６】
フランジ２３０は、周壁２２０の上端に設けられ且つ外側に延びた金属製（例えば、ステンレスやスチール製）の角枠状の板である。
【００６７】
上述した火床２００は、図示しない脚が取り付け可能である。よって、火床２００は、脚によって中空支持された状態で使用可能である。又は、火床２００は、テーブル等の上に直接設置された状態でも使用可能である。
【００６８】
以下、火床カバー１００を火床２００に取り付ける手順について説明する。まず、図１Ｃに示すように、火床カバー１００の第１箱部１１０の第１開口１１２ｄと第２箱部１２０の第２開口１２２ｄとを対向させる。その後、第１開口１１２ｄが第２箱部１２０内に位置するように、第１箱部１１０を第２開口１２２ｄから第２箱部１２０内に挿入する。このとき、第１箱部１１０を第２箱部１２０に対してスライドさせ、火床カバー１００の長手方向Ｙの寸法を火床２００の長手方向Ｙの寸法に合わせる。その状態で、第２箱部１２０の第２凸部１４１を第１箱部１１０の第１凹部１３２に外側から係合させる。これにより、第１箱部１１０の長手方向Ｙの一方側の部分が第２箱部１２０の長手方向Ｙの他方側の部分に重合する（重なる）。
【００６９】
上述の通り長さ調整された火床カバー１００を火床２００に収容させる。すると、火床カバー１００の底板１１１、１２１が火床２００の底板２１０に当接する。火床カバー１００の第１箱部１１０のＸ１、Ｘ２側壁１１２ｂ、１１２ｃおよび第２箱部１２０のＸ１、Ｘ２側壁１２２ｂ、１２２ｃが、火床２００の第３、第４側壁２２３、２２４に当接する。火床カバー１００の第１、第２箱部１１０、１２０の第１、第２フランジ１１１、１２３が、火床２００のフランジ２３０上に載置される。このようにして火床カバー１００が火床２００に支持される。これと共に、火床カバー１００の第１箱部１１０のＹ側壁１１２ａが火床２００の第１側壁２２１に間隙Ｇを有して対向配置され、第２箱部１２０のＹ側壁１２２ａが火床２００の第２側壁２２２に間隙Ｇを有して対向配置される。これにより、Ｙ側壁１１２ａの第１通気孔１１２ｅ、間隙Ｇおよび第１側壁２２１の通気孔２４０が通じる。Ｙ側壁１２２ａの第２通気孔１２２ｅ、間隙Ｇおよび第２側壁２２２の通気孔２４０が通じる。
【００７０】
この火床カバー１００内に炭や薪等の加熱燃料を入れ、当該加熱燃料を加熱させる。火床カバー１００および火床２００上には、図示しない網又は鉄板を載置する。この網又は鉄板上に食材を載せて当該食材を焼くことができる。
【００７１】
以上のような火床カバー１００およびバーベキューグリルは、以下の技術的特徴を有する。第１に、加熱燃料の加熱により、火床２００が熱劣化するのを抑制することができる。その理由は以下の通りである。火床２００は、金属箔で構成された火床カバー１００によって加熱燃料の加熱から保護される。Ｙ側壁１１２ａ、１２２ａと第１、第２側壁２２１、２２２との位置関係が、火床カバー１００が火床２００内に収容されたとき、Ｙ側壁１１２ａ、１２２ａと第１、第２側壁２２１、２２２の間に間隙Ｇが生じる位置関係となっている。この間隙Ｇが空気断熱として機能するので、第１、第２側壁２２１、２２２に対する加熱燃料の加熱の影響を低減することができる。
【００７２】
第２に、火床２００の汚れを防止することができる。なぜなら、加熱燃料は火床カバー１００内に入れられ、食材からの油等が火床カバー１００内に落下するので、煤や油等が火床２００に付着するのを防止することができるからである。
【００７３】
第３に、火床カバー１００の汎用性を向上させることができる。なぜなら、第１箱部１１０が第２箱部１２０に対してスライド自在に重合してため（重なっているため）、火床カバー１００の長手方向Ｙの寸法を火床２００の長手方向Ｙの寸法に合わせることができるからである。加えて、火床の通気孔が、火床カバー１００の通気孔１１２ｅ、１２２ｅに対応する位置に設けられていなかったとしても、当該火床内に火床カバー１００が収容されたとき、Ｙ側壁１１２ａ、１２２ａと前記火床の第１、第２側壁の間に間隙が生じる。この間隙によって、Ｙ側壁１１２ａ、１２２ａの通気孔１１２ｅ、１２２ｅと前記火床の前記第１、第２側壁の前記通気孔とが通じる。よって、火床カバー１００は、通気孔１１２ｅ、１２２ｅの位置と一致しない通気孔を有する火床にも使用可能である。
【００７４】
第４に、第１箱部１１０が第２箱部１２０に重合した状態が安定する。なぜなら、第２箱部１２０の第２周壁１２２の第２凸部１４１が第１箱部１１０の第１周壁１１２の第１凹部１３２に係合しているからである。
【００７５】
第５に、第２凸部１４１と第１凹部１３２との係合数が増減することによって、第１箱部１１０が第２箱部１２０に重合した状態の安定を図りつつ、第１箱部１１０の第２箱部１２０に対する重合量を変化させることができる。
【００７６】
第６に、火床カバー１００は処分が容易である。火床カバー１００は可撓性を有する金属箔で構成されているので、丸めて捨てることができるからである。
【００７７】
第７に、火床カバー１００は、火床２００に安定的に支持される。なぜなら、火床カバー１００のＸ１側壁１１２ｂ、１２２ｂの傾斜角が火床２００の第３側壁２２３の傾斜角と略同じであり、Ｘ１側壁１１２ｂ、１２２ｂが第３側壁２２３に当接し、且つＸ２側壁１１２ｃ、１２２ｃの傾斜角が火床２００の第４側壁２２４の傾斜角と略同じであり、Ｘ２側壁１１２ｃ、１２２ｃが第４側壁２２４に当接するからである。加えて、火床カバー１００の第１、第２フランジ１１３、１２３が、火床２００のフランジ２３０に支持されるからである。
【００７８】
第８に、火床カバー１００の放熱効果が向上する。なぜなら、火床カバー１００の第１箱部１１０の第１周壁１１２の第１凸部１３１および第１凹部１３２によって、第１箱部１１０の第１周壁１１２の表面積が増大し、第２箱部１２０の第２周壁１２２の第２凸部１４１および第２凹部１４２によって、第２箱部１２０の第２周壁１２２の表面積が増大するからである。
【００７９】
第９に、複数の火床カバー１００を上下に重ねる（スタッキングする）ことができる。火床カバー１００は、Ｙ側壁１１２ａ、１２２ａが互いに離れるように斜め上方に延びており、Ｘ１側壁１１２ｂ、１２２ｂとＸ２側壁１１２ｃ、１２２ｃとが互いに離れるように斜め上方に延びているからである。
【００８０】
なお、本発明の第１箱部の第１底板は、下方又は上方に凸の断面略円弧状とすることが可能である。本発明の第１箱部の第１底板は、凸部および／又は凹部が設けられた構成とすることが可能である。本発明の第１箱部の第１底板は、半円板状とすることが可能である。なお、本発明の第２箱部の第２底板は、上述した第１底板と同様に設計変更することが可能である。
【００８１】
本発明の第１箱部の第１周壁は、上述した何れかの態様の第１底板上に設けられた平面視略Ｕ字状又は平面視略半円状とすることが可能である。平面視略Ｕ字状の第１周壁は、火床カバーの長手方向又は短手方向の一方に開口した第１開口を有する構成とすることが可能である。平面視略半円状の第１周壁は、火床カバーの半径方向のうちの一つの方向の一方に開口した第１開口を有する構成とすることが可能である。上述した各態様の第１周壁は、第１底板に対して傾斜した構成、第１底板に対して湾曲した構成、第１底板に対して略垂直に延びた構成、又は段差を有する構成とすることが可能である。本発明の第２箱部の第２周壁は、上述した第１周壁と同様に設計変更することが可能である。第２周壁が平面視略Ｕ字状である場合、前記長手方向又は前記短手方向の他方に開口した第２開口を有する構成とすることが可能である。第２周壁が平面視略半円状である場合、前記一つの方向の他方に開口した第２開口を有する構成とすることが可能である。
【００８２】
また、上述した各態様の第１箱部は、後述する箱の切断された一方とすることが可能であり、上述した各態様の第２箱部は、前記箱の切断された他方とすることが可能である。前記箱は、可撓性を有する金属箔がプレス成形されることによって形成された上部開放の平面視略角形又は平面視略楕円形の箱とすることが可能である。この箱が長手方向又は短手方向に略半分に切断される。又は、前記箱は、可撓性を有する金属箔がプレス成形されることによって形成された上部開放の有底円筒状又は有底円錐台状の箱とすることが可能である。この箱が半径方向の一つの方向に略半分に切断される。なお、上述した各態様の第１、第２箱部の各々が、可撓性を有する金属箔がプレス成形されることによって形成された構成とすることが可能である。
【００８３】
本発明の第１、第２箱部の第１、第２フランジは省略可能である。また、第１、第２フランジは、第１、第２箱部の第１、第２周壁の一部に設けられていれば良い。例えば、第１フランジが、上述した何れかの態様の第１箱部の第１周壁のＸ１側壁、Ｘ２側壁およびＹ側壁の何れか一つ又は何れか二つにのみ設けられた構成とすることが可能である。第２フランジが、上述した何れかの態様の第２箱部の第２周壁のＸ１側壁、Ｘ２側壁およびＹ側壁の何れか一つ又は何れか二つにのみ設けられた構成とすることが可能である。 
【００８４】
本発明の伸縮構造は、上述した各態様の第１箱部の第１開口が上述した各第２箱部内に位置するように、前記第１箱部が前記第２箱部の前記第２開口から当該第２箱部内に挿入され、且つ前記第１箱部が前記第２箱部に対して火床カバーの長手方向、短手方向又は半径方向のうちの一つの方向にスライド自在に重合した構造とすることが可能である。
【００８５】
本発明の第１、第２箱部に設けられた第１、第２係合部は省略可能である。また、前記第１、第２係合部は、上述した各態様の第１箱部が上述した各態様の第２箱部に対して重合する重合量が相違する複数の箇所で、相互に係合可能である限り任意に設計変更することが可能である。
【００８６】
前記第１係合部は、上述した各態様の第１箱部の第１周壁又は第１底板に、火床カバーの長手方向、短手方向、半径方向の一つ又は周方向に間隔をあけて設けられた複数の第１凸部と、前記第１凸部の裏側に設けられた複数の第１凹部とを有する構成とすることが可能である。前記第２係合部は、上述した各態様の第２箱部の第２周壁又は第２底板に、前記長手方向、前記短手方向、前記半径方向の一つ又は周方向に間隔をあけて設けられており且つ前記第１凹部に係合可能である複数の第２凸部と、前記第２凸部の裏側に設けられた複数の第２凹部を有する構成とすることが可能である。上述した各態様の第１、第２凸部は、火床カバーの内側に又は外側に凸の凸部とすることが可能である。上述した各態様の第１、第２凹部は、前記第１、第２凸部の外側又は内側に設けられた構成とすることが可能である。上述した各態様の第１、第２凸部の形状は、突脈以外の様々な凸部とすることが可能である。上述した各態様の第１、第２凹部の形状は、第１、第２凸部の形状に応じて任意に設計変更することが可能である。
【００８７】
又は、前記第１係合部は、上述した各態様の第１箱部の第１周壁又は第１底板に、火床カバーの長手方向、短手方向、半径方向の一つ又は周方向に間隔をあけて設けられた複数の第１凹部のみを有する構成とすることが可能である。前記第２係合部は、上述した各態様の第２箱部の第２周壁又は第２底板に、前記長手方向、前記短手方向、前記半径方向の一つ又は前記周方向に間隔をあけて設けられており且つ前記第１凹部に係合可能である複数の第２凸部のみを有する構成とすることが可能である。前記第２凸部は、火床カバーの内側に又は外側に凸の凸部とすることが可能である。前記第１凹部は、前記第２凸部の外側又は内側に設けられた構成とすることが可能である。前記第１凹部は、前記第２凸部を係合可能な係合孔に置換可能である。前記第２凸部の形状は、突脈以外の様々な凸部とすることが可能である。前記第１凹部又は係合孔の形状は、第２凸部の形状に応じて任意に設計変更することが可能である。
【実施例２】
【００８８】
次に、本発明の実施例２に係る火床カバー３００について図３Ａ〜図４Ｂを参照しつつ説明する。図３Ａ〜図４Ｂに示す火床カバー３００は、火床４００（図５Ａ〜図５Ｂ参照）内に収容可能な箱であって、可撓性を有する金属箔（例えば、アルミ箔）で構成されている。火床カバー３００は、本体部３１０と、筒部３２０と、フランジ３３０と、伸縮構造Ｓ２と、第１係合部３４０と、第２係合部３５０とを備えている。以下、火床カバー３００の各構成要素について詳しく説明する。図３Ａおよび図３Ｂに示すＺは、火床カバー３００の高さ方向である。
【００８９】
本体部３１０は、図３Ａ〜図４Ｂに示すように、底板３１１と、周壁３１２とを有している。底板３１１は、金属箔（例えば、アルミ箔）で構成された円板である。底板３１１の外径は、火床４００の後述する底板４１０（図５Ａ〜図５Ｂ参照）の外径よりも小さい。底板３１１が火床４００の底板４１０に当接可能である。底板３１１は、リング状の端を有する。
【００９０】
周壁３１２は、底板３１１の端に立設された金属箔（例えば、アルミ箔）製の円筒状の板である。周壁３１２は、その外径および内径が上方に漸次拡径するように斜め上方に延びている。周壁３１２は、火床４００の後述する周壁４２０に対して間隙Ｇ’（図５Ａ〜図５Ｂ参照）を有して対向配置可能である。周壁３１２の相対する２つの部分には、複数の通気孔３１２ａが周壁３１２の周方向に間隔をあけて設けられている。
【００９１】
筒部３２０は、金属箔（例えば、アルミ箔）製の円筒状の板である。筒部３２０の外径および内径が上方に漸次拡径するように斜め上方に延びている。筒部３２０の下端の外径は、周壁３１２の上端の外径と略同じ又は若干大きい。筒部３２０の上端の外径は、火床４００の周壁４２０（図５Ａ〜図５Ｂ参照）の内径よりも小さい。
【００９２】
フランジ３３０は、筒部３２０の上端に設けられ且つ外側（筒部３２０の半径方向）に延びた金属箔（例えば、アルミ箔）製のリング状の板である。フランジ３３０の外径は、火床４００の周壁４２０（図５Ａ〜図５Ｂ参照）の外径よりも大きい。
【００９３】
伸縮構造Ｓ２は、本体部３１０の周壁３１２の上端部が筒部３２０の下端部に内嵌しており、且つ本体部３１０の周壁３１２が筒部３２０に対して高さ方向Ｚにスライド自在に重合した構造となっている。
【００９４】
第１係合部３４０は、本体部３１０の周壁３１２に設けられている。第１係合部３４０は、複数の第１凸部３４１と、複数の第１凹部３４２とを有している。第１凸部３４１は、本体部３１０の周壁３１２に高さ方向Ｚに間隔をあけて設けられた内側に凸の突脈であって、周壁３１２の周方向に延びている。第１凹部３４２は、第１凸部３４１の裏側（本実施例２では外側）に設けられた内側に凹の凹部であって、前記周方向に延びている。
【００９５】
第２係合部３５０は筒部３２０に設けられている。第２係合部３５０は、複数の第２凸部３５１と、複数の第２凹部３５２とを有している。第２凸部３５１は、筒部３２０に高さ方向Ｚに間隔をあけて設けられた内側に凸の突脈であって、筒部３２０の周方向に延びている。第２凸部３５１が第１凹部３４２に係合可能である。第２凹部３５２は、第２凸部３５１の裏側（本実施例１では外側）に設けられた内側に凹の凹部であって、前記周方向に延びている。
【００９６】
第１、第２係合部３４０、３５０は、本体部３１０の周壁３１２が筒部３２０に対して重合する重合量が相違する複数の箇所で、相互に係合可能となっている。具体的には、第２凸部３５１と第１凹部３４２との係合数が増減することによって、本体部３１０の周壁３１２の筒部３２０に対する重合量を変化させることができる。
【００９７】
以上のような構成の火床カバー１００は、次のように製造される。まず、可撓性を有する金属箔（例えば、厚さ０.０３５〜０.０６ｍｍのアルミ箔）を図示しない金型を用いてプレス成形することによって、本体部３１０の周壁３１２と筒部３２０とが接合された上部開放の円錐台状の箱が形成される。その後、前記箱を当該箱の高さ方向において略半分に切断する。切断された下側部分が本体部３１０、上側部分が筒部３２０およびフランジ３３０となる。このようにして火床カバー３００が製造される。
【００９８】
以下、本発明の実施例２に係るバーベキューグリルについて図５Ａ〜図５Ｂを参照しつつ説明する。図５Ａ〜図５Ｂに示すバーベキューグリルは、火床カバー３００と、火床４００とを備えている。以下、このバーベキューグリルについて詳しく説明する。
【００９９】
火床４００は、火床カバー３００を収容可能な金属製（例えば、ステンレスやスチール製）の箱である。火床４００は、底板４１０と、周壁４２０と、フランジ４３０とを有している。
【０１００】
底板４１０は、金属製（例えば、ステンレスやスチール製）の円板である。
【０１０１】
周壁４２０は、底板４１０のリング状の端に立設された金属製（例えば、ステンレスやスチール製）の円筒である。周壁４２０は、底板４１０に対して垂直に延びている。周壁４２０の相対する２つの部分には、当該周壁４２０を貫通する通気孔４２１が設けられている。
【０１０２】
フランジ４３０は、周壁４２０のリング状の上端に設けられ且つ外側に延びた金属製（例えば、ステンレスやスチール製）のリング状の板である。
【０１０３】
上述した火床４００は、図示しない脚が取り付け可能である。よって、火床４００は、脚によって中空支持された状態で使用可能である。又は、火床４００は、テーブル等の上に直接設置された状態でも使用可能である。
【０１０４】
以下、火床カバー３００を火床４００に取り付ける手順について説明する。まず、図４Ａおよび図４Ｂに示すように、火床カバー３００の本体部３１０の周壁３１２を筒部３２０内に挿入する。このとき、周壁３１２を筒部３２０に対してスライドさせ、火床カバー３００の高さ方向Ｚの寸法を火床４００の高さ方向Ｚの寸法に合わせる。その状態で、筒部３２０の第２凸部３５１を本体部３１０の周壁３１２の第１凹部３４２に外側から係合させる。これにより、本体部３１０の周壁３１２の上端部が筒部３２０の下端部に重合する（重なる）。
【０１０５】
上述の通り高さ調整された火床カバー３００を火床４００に収容させる。すると、火床カバー３００の底板３１１が火床４００の底板４１０に当接する。火床カバー３００のフランジ３３０が、火床４００のフランジ４３０上に載置される。このようにして火床カバー３００が火床４００に支持される。これと共に、火床カバー３００の周壁３１２が、火床４００の周壁４２０に間隙Ｇ’を有して対向配置される。これにより、周壁３１２の通気孔３１２ａ、間隙Ｇ’および周壁４２０の通気孔４２１が通じる。
【０１０６】
この火床カバー３００内に炭や薪等の加熱燃料を入れ、当該加熱燃料を加熱させる。火床カバー３００および火床４００上には、図示しない網又は鉄板を載置する。この網又は鉄板上に食材を載せて当該食材を焼くことができる。
【０１０７】
以上のような火床カバー３００およびバーベキューグリルは、以下の技術的特徴を有する。第１に、加熱燃料の加熱により、火床４００が熱劣化するのを抑制することができる。その理由は以下の通りである。火床４００は、金属箔で構成された火床カバー３００によって、加熱燃料の加熱から保護される。周壁３１２と周壁４２０との位置関係が、火床カバー３００が火床４００内に収容されたとき、周壁３１２と周壁４２０の間に間隙Ｇ’が生じる位置関係となっている。この間隙Ｇ’が空気断熱として機能するので、周壁４２０に対する加熱燃料の加熱の影響を低減することができる。
【０１０８】
第２に、火床４００の汚れを防止することができる。なぜなら、加熱燃料が火床カバー３００内に入れられ、食材からの油等が火床カバー３００内に落下するので、煤や油等が火床４００に付着するのを防止することができるからである。
【０１０９】
第３に、火床カバー３００の汎用性を向上させることができる。なぜなら、本体部３１０の周壁３１２が筒部３２０に対してスライド自在に重合してため（重なっているため）、火床カバー３００の高さ方向Ｚの寸法を火床４００の高さ方向Ｚの寸法に合わせることができるからである。加えて、火床の通気孔が、火床カバー３００の通気孔３１２ａに対応する位置に設けられていなかったとしても、当該火床内に火床カバー３００が収容されたとき、周壁３１２と前記火床の周壁の間に間隙が生じる。この間隙によって、周壁３１２の通気孔３１２ａと前記火床の前記側壁の前記通気孔とが通じる。よって、火床カバー３００は、通気孔３１２ａの位置と一致しない通気孔を有する火床にも使用可能である。
【０１１０】
第４に、本体部３１０の周壁３１２が筒部３２０に重合した状態が安定する。なぜなら、筒部３２０の第２凸部３５１が本体部３１０の周壁３１２の第１凹部３４２に係合しているからである。
【０１１１】
第５に、第２凸部３５１と第１凹部３４２との係合数が増減することによって、本体部３１０の周壁３１２が筒部３２０に重合した状態の安定を図りつつ、本体部３１０の周壁３１２の筒部３２０に対する重合量を変化させることができる。
【０１１２】
第６に、火床カバー３００は処分が容易である。火床カバー３００は可撓性を有する金属箔で構成されているので、丸めて捨てることができるからである。
【０１１３】
第７に、火床カバー３００は、火床４００に安定的に支持される。なぜなら、火床カバー３００のフランジ３３０が、火床４００のフランジ４３０に支持されるからである。
【０１１４】
第８に、火床カバー３００の放熱効果が向上する。なぜなら、周壁３１２の第１凸部３４１および第１凹部３４２によって、周壁３１２の表面積を増大させることができ、且つ筒部３２０の第２凸部３５１および第２凹部３５２によって、筒部３２０の表面積を増大させることができるからである。
【０１１５】
第９に、複数の火床カバー３００を上下に重ねる（スタッキングする）ことができる。火床カバー３００は、周壁３１２および筒部３２０の外径および内径が上方に漸次拡径しているからである。
【０１１６】
なお、本発明の本体部は、底板および周壁を有する限り任意に設計変更することが可能である。本発明の本体部の底板は、下方又は上方に凸の断面略円弧状とすることが可能である。本発明の本体部の底板は、凸部および／又は凹部が設けられた構成とすることが可能である。本発明の本体部の底板は、矩形状とすることが可能である。
【０１１７】
本発明の本体部の周壁は、前記矩形状の底板上に設けられた角筒状とすることが可能である。上述した各態様の周壁は、底板に対して傾斜した構成、底板に対して湾曲した構成、底板に対して略垂直に延びた構成、又は段差を有する構成とすることが可能である。なお、本体部が前記矩形状の底板および角筒状の周壁を有する場合も、可撓性を有する金属箔がプレス成形されることによって上部開放の箱を形成し、当該箱を当該箱の高さ方向に略半分に切断し、切断された下端部を本体部、切断された上端部を角筒状の筒部とすることが可能である。
【０１１８】
本発明の筒部は、本体部の周壁が内嵌又は外嵌可能な筒である限り任意に設計変更することが可能である。筒部は、上述の通り角筒状とすることが可能である。上述した各態様の筒部は、外径および内径が高さ方向に一定である筒とすることができ、外径および内径が下方に漸次拡径するように傾斜した構成とすることが可能である。
【０１１９】
本発明の筒部の上端に設けられたフランジは省略可能である。また、フランジは、筒部の上端の一部に設けられていれば良い。例えば、フランジは、筒部の上端の一部に設け、外側に延びた円弧状の板とすることが可能である。
【０１２０】
本発明の伸縮構造は、上述した各態様の本体部の周壁が上述した各態様の筒部に内嵌又は外嵌し、且つ前記本体部の前記周壁が前記筒部に対して高さ方向にスライド自在に重合した構造とすることが可能である。
【０１２１】
本発明の本体部の周壁に設けられた第１係合部および筒部に設けられた第２係合部は省略可能である。また、前記第１、第２係合部は、上述した各態様の本体部の周壁が上述した各態様の筒部に対して重合する重合量が相違する複数の箇所で、相互に係合可能である限り任意に設計変更することが可能である。
【０１２２】
前記第１係合部は、上述した各態様の本体部の周壁に火床カバーの高さ方向に間隔をあけて設けられた複数の第１凸部と、前記第１凸部の裏側に設けられた複数の第１凹部とを有する構成とすることが可能である。前記第２係合部は、上述した各態様の筒部に前記高さ方向に間隔をあけて設けられた複数の第２凸部と、前記第２凸部の裏側に設けられた複数の第２凹部を有する構成とすることが可能である。前記第１凸部が第２凹部に係合可能又は第２凸部が第１凹部に係合可能な構成とすることが可能である。
【０１２３】
又は、前記第１係合部は、上述した各態様の本体部の周壁に火床カバーの高さ方向に間隔をあけて設けられた複数の第１凹部のみを有する構成とすることが可能である。前記第２係合部は、上述した各態様の筒部に前記高さ方向に間隔をあけて設けられており且つ前記第１凹部に係合可能である複数の第２凸部のみを有する構成とすることが可能である。又は、前記第２係合部は、上述した各態様の筒部に前記高さ方向に間隔をあけて設けられた複数の第２凹部のみを有する構成とすることが可能である。前記第１係合部は、上述した各態様の本体部の周壁に火床カバーの高さ方向に間隔をあけて設けられており且つ前記第２凹部に係合可能な複数の第１凸部のみを有する構成とすることが可能である。
【０１２４】
上述した各態様の第１、第２凸部は、火床カバーの内側又は外側に凸の凸部とすることが可能である。上述した各態様の第１、第２凹部は、前記第１、第２凸部の外側又は内側に設けられた構成とすることが可能である。上述した各態様の第１、第２凸部の形状は、突脈以外の様々な凸部とすることが可能である。上述した各態様の第１、第２凹部の形状は、第１、第２凸部の形状に応じて任意に設計変更することが可能である。上述した各態様の第１、第２凹部は、係合孔に置換可能である。
【実施例３】
【０１２５】
次に、本発明の実施例３に係る火床カバー５００について図６を参照しつつ説明する。図６に示す火床カバー５００は、火床２００（図２Ａ〜図２Ｂ参照）内に収容可能な箱であって、可撓性を有する金属箔（例えば、アルミ箔）で構成されている。火床カバー５００は、第１箱部５１０と、第２箱部５２０と、中間部５３０（伸縮構造）とを備えている。以下、火床カバー５００の各構成要素について詳しく説明する。なお、図６に示すＹが火床カバー５００の長手方向であり。図６に示すＸが火床カバー５００の短手方向であり、図６に示すＺが火床カバー５００の高さ方向である。
【０１２６】
第１箱部５１０は、第１底板５１１と、第１周壁５１２と、第１フランジ５１３とを有している。第１底板５１１は金属箔（例えば、アルミ箔）で構成された矩形状の板である。第１底板５１１は、第１、第２、第３および第４端を有している。第１端は第１底板５１１の長手方向Ｙの一方側の端である。第２端は第１底板５１１の長手方向Ｙの他方側の端である。第３端は第１底板５１１の短手方向Ｘの一方側の端である。第４端は第１底板５１１の短手方向Ｘの他方側の端である。
【０１２７】
第１周壁５１２は、第１底板５１１上に設けられた金属箔（例えば、アルミ箔）製の平面視略Ｕ字状の板である。第１周壁５１２の高さ寸法は、火床２００の周壁２２０（図２Ａ参照）の高さ寸法よりも若干（第１フランジ５１３の厚み分）大きい。第１周壁５１２は、Ｙ側壁５１２ａと、Ｘ１側壁５１２ｂと、Ｘ２側壁５１２ｃと、複数の第１通気孔５１２ｄとを有している。
【０１２８】
Ｙ側壁５１２ａは、第１底板５１１の第１端に立設された台形状の板であって、Ｘ１、Ｘ２側壁５１２ｂ、５１２ｃを連結している。Ｙ側壁５１２ａは、Ｙ側壁５１２ａと第２箱部５２０の後述する第２周壁５２２のＹ側壁５２２ａとの間の距離が漸次離れるように斜め上方に延びている。換言すると、Ｙ側壁５１２ａは、長手方向Ｙの一方側（火床カバー５００の外側）に傾斜している。Ｙ側壁５１２ａは、火床２００の周壁２２０の第１側壁２２１に対して間隙を有して対向配置可能である。Ｙ側壁５１２ａの下端部には、当該Ｙ側壁５１２ａを貫通した複数の第１通気孔５１２ｄが短手方向Ｘに間隔をあけて設けられている。第１通気孔５１２ｄは間隙を介して火床２００の通気孔２４０（図２Ｂ参照）に連通可能（通気可能）である。
【０１２９】
Ｘ１、Ｘ２側壁５１２ｂ、５１２ｃは、第１底板５１１の第３、第４端に立設された台形状の板である。Ｘ１、Ｘ２側壁５１２ｂ、５１２ｃは、Ｘ１、Ｘ２側壁５１２ｂ、５１２ｃの間の距離が漸次離れるように斜め上方に延びている。換言すると、Ｘ１側壁５１２ｂは、短手方向Ｘの一方側（火床カバー５００の外側）に傾斜し、Ｘ２側壁５１２ｃは、短手方向Ｘの他方側（火床カバー５００の外側）に傾斜している。Ｘ１、Ｘ２側壁５１２ｂ、５１２ｃの傾斜角は、火床２００の周壁２２０の第３、第４側壁２２３、２２４の傾斜角と略同じである。Ｘ１、Ｘ２側壁５１２ｂ、５１２ｃが、第３、第４側壁２２３、２２４に当接可能となっている。
【０１３０】
第１フランジ５１３は、第１周壁５１２（Ｙ１、Ｘ１およびＸ２側壁５１２ａ、１１２ｂ、５１２ｃ）の上端に設けられた金属箔（例えば、アルミ箔）製の平面視略Ｕ字状の板である。
【０１３１】
第２箱部５２０は第１箱部５１０の対称形状である。第２箱部５２０は、第２底板５２１と、第２周壁５２２と、第２フランジ５２３とを有している。第２底板５２１は金属箔（例えば、アルミ箔）で構成された矩形状の板である。第２底板５２１は、第１、第２、第３および第４端を有している。第１端は第２底板５２１の長手方向Ｙの他方側の端である。第２端は第２底板５２１の長手方向Ｙの一方側の端である。第３端は第２底板５２１の短手方向Ｘの一方側の端である。第４端は第２底板５２１の短手方向Ｘの他方側の端である。
【０１３２】
第２周壁５２２は、第２底板５２１上に設けられた金属箔（例えば、アルミ箔）製の平面視略Ｕ字状の板である。第２周壁５２２の高さ寸法は、火床２００の周壁２２０（図２Ａ参照）の高さ寸法よりも若干（第２フランジ５２３の厚み分）大きい。第２周壁５２２は、Ｙ側壁５２２ａと、Ｘ１側壁５２２ｂと、Ｘ２側壁５２２ｃと、複数の第２通気孔５２２ｄとを有している。
【０１３３】
Ｙ側壁５２２ａは、第２底板５２１の第１端に立設された台形状の板であって、Ｘ１、Ｘ２側壁５２２ｂ、５２２ｃを連結している。Ｙ側壁５２２ａは、Ｙ側壁５２２ａと第１箱部１２０の周壁１１２のＹ側壁５１２ａとの間の距離が漸次離れるように斜め上方に延びている。換言すると、Ｙ側壁５２２ａは、長手方向Ｙの他方側（火床カバー５００の外側）に傾斜している。Ｙ側壁５２２ａは、火床２００の周壁２２０の第２側壁２２２に対して間隙を有して対向配置可能である。Ｙ側壁５２２ａの下端部には、当該Ｙ側壁５２２ａを貫通した複数の第２通気孔５２２ｄが短手方向Ｘに間隔をあけて設けられている。第２通気孔５２２ｄは間隙を介して火床２００の通気孔２４０（図２Ｂ参照）に連通可能（通気可能）である。
【０１３４】
Ｘ１、Ｘ２側壁５２２ｂ、５２２ｃは、第２底板５２１の第３、第４端に立設された台形状の板である。Ｘ１、Ｘ２側壁５２２ｂ、５２２ｃは、Ｘ１、Ｘ２側壁５２２ｂ、５２２ｃの間の距離が漸次離れるように斜め上方に延びている。換言すると、Ｘ１側壁５２２ｂは、短手方向Ｘの一方側（火床カバー５００の外側）に傾斜し、Ｘ２側壁５２２ｃは、短手方向Ｘの他方側（火床カバー５００の外側）に傾斜している。Ｘ１、Ｘ２側壁５２２ｂ、５２２ｃの傾斜角は、火床２００の周壁２２０の第３、第４側壁２２３、２２４の傾斜角と略同じである。Ｘ１、Ｘ２側壁５２２ｂ、５２２ｃが、第３、第４側壁２２３、２２４に当接可能となっている。
【０１３５】
第２フランジ５２３は、第２周壁５２２（Ｙ１、Ｘ１、Ｘ２側壁５２２ａ、１２２ｂ、５２２ｃ）の上端に設けられた金属箔（例えば、アルミ箔）製の平面視略Ｕ字状の板である。
【０１３６】
中間部５３０は、火床カバー５００の第１、第２箱部５１０、５２０の間に設けられた長手方向Ｙに伸縮可能な蛇腹部である。中間部５３０は、蛇腹である底板、一対の側壁および一対のフランジを有している。底板は、底板５１１、５２１を連結している。一対の側壁のうち一方の側壁は、底板の短手方向Ｘの一端に設けられ、Ｘ１側壁５１２ｂ、５２２ｂを連結している。他方の側壁は、底板の短手方向Ｘの他端に設けられ、Ｘ２側壁５１２ｃ、５２２ｃを連結している。一対のフランジのうち一方のフランジは、一方の側壁の上端に連接され、第１、第２フランジ５１３、５２３の一端を連結している。他方のフランジは、他方の側壁の上端に連接され、第１、第２フランジ５１３、５２３の他端を連結している。このように第１、第２箱部５１０、５２０および中間部５３０の底板が、火床カバー５００の底板をなしている。第１、第２箱部５１０、５２０および中間部５３０の全ての側壁が、火床カバー５００の周壁をなしている。第１、第２箱部５１０、５２０および中間部５３０のフランジが、火床カバー５００のフランジをなしている。
【０１３７】
以上のような構成の火床カバー５００は、可撓性を有する金属箔（例えば、厚さ０.０３５〜０.０６ｍｍのアルミ箔）を図示しない金型を用いてプレス成形することによって製造される。
【０１３８】
以下、火床カバー５００を火床２００に取り付ける手順について説明する。まず、中間部５３０を長手方向Ｙに伸縮させ、火床カバー５００の長手方向Ｙの寸法を火床２００の長手方向Ｙの寸法に合わせる。
【０１３９】
上述の通り長さ調整された火床カバー５００を火床２００に収容させる。すると、火床カバー５００の底板が火床２００の底板２１０に当接する。火床カバー５００の第１箱部５１０のＸ１、Ｘ２側壁５１２ｂ、５１２ｃ、第２箱部５２０のＸ１、Ｘ２側壁５２２ｂ、５２２ｃおよび中間部５３０の側壁が、火床２００の第３、第４側壁２２３、２２４に当接する。火床カバー５００の第１、第２箱部５１０、５２０の第１、第２フランジ５１１、５２３が、火床２００のフランジ２３０上に載置される。このようにして火床カバー５００が火床２００に支持される。これと共に、火床カバー５００の第１箱部５１０のＹ側壁５１２ａが火床２００の第１側壁２２１に間隙を有して対向配置され、第２箱部５２０のＹ側壁５２２ａが火床２００の第２側壁２２２に間隙を有して対向配置される。これにより、Ｙ側壁５１２ａの第１通気孔５１２ｄ、間隙および第１側壁２２１の通気孔２４０が通じる。Ｙ側壁５２２ａの第２通気孔５２２ｄ、間隙および第２側壁２２２の通気孔２４０が通じる。
【０１４０】
この火床カバー５００内に炭や薪等の加熱燃料を入れ、当該加熱燃料を加熱させる。火床カバー５００および火床２００上には、図示しない網又は鉄板を載置する。この網又は鉄板上に食材を載せて当該食材を焼くことができる。
【０１４１】
以上のような火床カバー５００およびバーベキューグリルは、実施例１の火床カバー１００およびバーベキューグリルの第１、第２、第６、第７および第９の技術的特徴を有する。加えて、火床カバー５００およびバーベキューグリルは、以下の技術的特徴を有する。
【０１４２】
まず、火床カバー１００の汎用性を向上させることができる。なぜなら、中間部５３０が長手方向Ｙに伸縮可能であるため、火床カバー５００の長手方向Ｙの寸法を火床２００の長手方向Ｙの寸法に合わせることができるからである。加えて、火床の通気孔が、火床カバー５００の通気孔５１２ｄ、５２２ｄに対応する位置に設けられていなかったとしても、当該火床内に火床カバー５００が収容されたとき、Ｙ側壁５１２ａ、５２２ａと前記火床の第１、第２側壁の間に間隙が生じる。この間隙によって、Ｙ側壁５１２ａ、５２２ａの通気孔５１２ｄ、５２２ｄと前記火床の前記第１、第２側壁の前記通気孔とが通じる。よって、火床カバー５００は、通気孔５１２ｄ、５２２ｄの位置と一致しない通気孔を有する火床にも使用可能である。
【０１４３】
さらに、火床カバー５００の放熱効果が向上する。なぜなら、火床カバー５００の中間部５３０が蛇腹部であるため、火床カバー５００の底板および周壁の表面積が増大するからである。
【０１４４】
なお、上述した第１箱部５１０の第１底板５１１は、下方又は上方に凸の断面略円弧状とすることが可能である。第１箱部５１０の第１底板５１１は、凸部および／又は凹部が設けられた構成とすることが可能である。第１箱部５１０の第１底板５１１は、半円板状とすることが可能である。なお、第２箱部５２０の第２底板５２１は、上述した第１底板と同様に設計変更することが可能である。
【０１４５】
第１箱部５１０の第１周壁５１２は、上述した何れかの態様の第１底板上に設けられた平面視略Ｕ字状又は平面視略半円状とすることが可能である。上述した各態様の第１周壁は、第１底板に対して傾斜した構成、第１底板に対して湾曲した構成、第１底板に対して略垂直に延びた構成、又は段差を有する構成とすることが可能である。第２箱部５２０の第２周壁５２２は、上述した第１周壁と同様に設計変更することが可能である。
【０１４６】
第１、第２箱部５１０、５２０の第１、第２フランジは省略可能である。また、第１、第２フランジは、第１、第２箱部の第１、第２周壁の一部に設けられていれば良い。例えば、第１フランジが、上述した何れかの態様の第１箱部の第１周壁のＸ１側壁、Ｘ２側壁およびＹ側壁の何れか一つ又は何れか二つにのみ設けられた構成とすることが可能である。第２フランジが、上述した何れかの態様の第２箱部の第２周壁のＸ１側壁、Ｘ２側壁およびＹ側壁の何れか一つ又は何れか二つにのみ設けられた構成とすることが可能である。
【０１４７】
本発明の伸縮構造は、火床カバーの底板および周壁に設けられた蛇腹部であって、当該火床カバーの長手方向又は短手方向に伸縮自在な構成とすることが可能である。伸縮構造のフランジは省略可能である。
【実施例４】
【０１４８】
次に、本発明の実施例４に係る火床カバー６００について図７を参照しつつ説明する。図６に示す火床カバー６００は、火床４００（図５Ａ〜図５Ｂ参照）内に収容可能な箱であって、可撓性を有する金属箔（例えば、アルミ箔）で構成されている。火床カバー６００は、底板６１０と、周壁６２０（伸縮構造）と、フランジ６３０とを備えている。以下、火床カバー６００の各構成要素について詳しく説明する。
【０１４９】
底板６１０は金属箔（例えば、アルミ箔）で構成された円板である。底板６１０の外径は、火床４００の底板４１０（図５Ａ〜図５Ｂ参照）の外径よりも小さい。底板６１０が火床４００の底板４１０に当接可能である。底板６１０は、リング状の端を有する。
【０１５０】
周壁６２０は、底板６１０の端に立設された金属箔（例えば、アルミ箔）製の円筒状の蛇腹部であって、火床カバー６００の高さ方向に伸縮可能である。周壁６２０は、その外径および内径が上方に漸次拡径するように斜め上方に延びている。周壁６２０は、火床４００の周壁４２０に対して間隙（図５Ａ〜図５Ｂ参照）を有して対向配置可能である。周壁６２０の相対する２つの部分には、複数の通気孔６２１が周壁６２０の周方向に間隔をあけて設けられている。
【０１５１】
フランジ６３０は、周壁６２０の上端に設けられ且つ外側（周壁６２０の半径方向）に延びた金属箔（例えば、アルミ箔）製のリング状の板である。フランジ６３０の外径は、火床４００の周壁４２０（図５Ａ〜図５Ｂ参照）の外径よりも大きい。
【０１５２】
以上のような構成の火床カバー６００は、可撓性を有する金属箔（例えば、厚さ０.０３５〜０.０６ｍｍのアルミ箔）を図示しない金型を用いてプレス成形することによって製造される。
【０１５３】
以下、火床カバー６００を火床４００に取り付ける手順について説明する。まず、周壁６２０を高さ方向に伸縮させ、火床カバー６００の高さ方向の寸法を火床４００の高さ方向の寸法に合わせる。
【０１５４】
上述の通り高さ調整された火床カバー６００を火床４００に収容させる。すると、火床カバー６００の底板６１０が火床４００の底板４１０に当接する。火床カバー６００のフランジ６３０が、火床４００のフランジ４３０上に載置される。このようにして火床カバー６００が火床４００に支持される。これと共に、火床カバー６００の周壁６２０が、火床４００の周壁４２０に間隙を有して対向配置される。これにより、周壁６２０の通気孔６２１、間隙および周壁４２０の通気孔４２１が通じる。
【０１５５】
この火床カバー６００内に炭や薪等の加熱燃料を入れ、当該加熱燃料を加熱させる。火床カバー６００および火床４００上には、図示しない網又は鉄板を載置する。この網又は鉄板上に食材を載せて当該食材を焼くことができる。
【０１５６】
以上のような火床カバー６００およびバーベキューグリルは、実施例１の火床カバー３００およびバーベキューグリルの第１、第２、第６、第７および第９の技術的特徴を有する。加えて、火床カバー６００およびバーベキューグリルは、以下の技術的特徴を有する。
【０１５７】
まず、火床カバー６００の汎用性を向上させることができる。なぜなら、周壁６２０が高さ方向に伸縮可能であるため、火床カバー６００の高さ方向の寸法を火床４００の高さ方向の寸法に合わせることができるからである。加えて、火床の通気孔が、火床カバー６００の通気孔６２１に対応する位置に設けられていなかったとしても、当該火床内に火床カバー６００が収容されたとき、周壁６２０と前記火床の周壁の間に間隙が生じる。この間隙によって、周壁６２０の通気孔６２１と前記火床の前記側壁の前記通気孔とが通じる。よって、火床カバー６００は、通気孔６２１の位置と一致しない通気孔を有する火床にも使用可能である。
【０１５８】
さらに、火床カバー６００の放熱効果が向上する。なぜなら、火床カバー６００の周壁６２０が蛇腹部であるため、火床カバー６００の周壁６２０の表面積が増大するからである。
【０１５９】
なお、上述した火床カバー６００の底板６１０は、下方又は上方に凸の断面略円弧状とすることが可能である。底板６１０は、凸部および／又は凹部が設けられた構成とすることが可能である。底板６１０は、矩形状とすることが可能である。
【０１６０】
上述した各態様の火床カバー６００の周壁６２０は、上述した何れかの態様の底板上に設けられた筒であって、当該筒の少なくとも一部に高さ方向に伸縮可能な蛇腹部が設けられた構成とすることが可能である。上述した各態様の周壁は、底板に対して傾斜した構成、底板に対して湾曲した構成、底板に対して略垂直に延びた構成、又は段差を有する構成とすることが可能である。周壁が段差を有する場合、蛇腹部は、当該周壁の段差の上側又は下側に設けられていれば良い。
【０１６１】
火床カバー６００のフランジ６３０は省略可能である。また、フランジは、周壁の上端の少なくとも一部に設けられていれば良い。例えば、フランジは、周壁の上端の一部に設けられ、外側に延びた円弧状の板とすることが可能である。
【０１６２】
本発明の伸縮構造は、火床カバーの周壁の少なくとも一部に設けられた蛇腹部であって、高さ方向に伸縮自在な構成とすることが可能である。
【０１６３】
なお、上述した火床カバーおよびバーベキューグリルは、上記実施例に限定されるものではなく、特許請求の範囲の記載範囲において任意に設計変更することが可能である。
【０１６４】
本発明の第１箱部は、上述した何れかの態様の第１底板および上述した何れかの態様の第１周壁を有する限り任意に設計変更することが可能である。本発明の第２箱部も、上述した何れかの態様の第２底板および上述した何れかの態様の第２周壁を有する限り任意に設計変更することが可能である。
【０１６５】
本発明の伸縮構造は、火床カバーの長手方向、短手方向、半径方向又は高さ方向に伸縮可能である限り任意に設計変更可能である。
【０１６６】
本発明の火床カバーの通気孔は省略可能である。また、本発明の火床カバーの通気孔は、火床カバーの側壁の任意に箇所に少なくとも一つ設けられていれば良い。
【０１６７】
本発明の火床は、上述した各態様の火床カバーを収容し得る限り任意に設計変更することが可能である。本発明の火床の通気孔は省略可能である。また、本発明の火床の通気孔は、火床の周壁の任意に箇所に少なくとも一つ設けられていれば良い。本発明の火床のフランジは省略可能である。この場合、上述した何れかの態様の火床カバーの第１、第２フランジ又はフランジは、火床の周壁上に載置可能とすればよい。本発明の火床のフランジは、上述した火床の周壁の一部に設けられていれば良い。例えば、上述した火床の周壁の一部、第１、第２側壁のみ又は第３、第４側壁のみにフランジが設けられた構成とすることが可能である。
【０１６８】
なお、上記実施例における火床カバーおよびバーベキューグリルの各構成要素を構成する素材、形状、寸法、数及び配置等はその一例を説明したものであって、同様の機能を実現し得る限り任意に設計変更することが可能である。上述した実施例及び設計変更例は、互いに矛盾しない限り、相互に組み合わせることが可能である。
【符号の説明】
【０１６９】
１００・・・・・火床カバー
１１０・・・・第１箱部
１１１・・・第１底板
１１２・・・第１周壁
１１２ａ・Ｙ側壁
１１２ｂ・Ｘ１側壁
１１２ｃ・Ｘ２側壁
１１２ｄ・第１開口
１１２ｅ・第１通気孔
１１３・・・第１フランジ
１２０・・・・第２箱部
１２１・・・第２底板
１２２・・・第２周壁
１２２ａ・Ｙ側壁
１２２ｂ・Ｘ１側壁
１２２ｃ・Ｘ２側壁
１２２ｄ・第２開口
１２２ｅ・第２通気孔
１２３・・・第２フランジ
１４０・・・・第１係合部
１４１・・・第１凸部
１４２・・・第１凹部
１５０・・・・第２係合部
１５１・・・第１凸部
１５２・・・第１凹部
２００・・・・・火床
２１０・・・・底板
２１１・・・第１端
２１２・・・第２端
２１３・・・第３端
２１４・・・第４端
２２０・・・・周壁
２２１・・・第１側壁
２２２・・・第２側壁
２２３・・・第３側壁
２２４・・・第４側壁
２３０・・・・フランジ
３００・・・・・火床カバー
３１０・・・・本体部
３１１・・・底板
３１２・・・周壁
３２０・・・・筒部
３３０・・・・フランジ
３４０・・・・第１係合部
３４１・・・第１凸部
３４２・・・第１凹部
３５０・・・・第２係合部
３５１・・・第１凸部
３５２・・・第１凹部
４００・・・・・火床
４１０・・・・底板
４２０・・・・側壁
４３０・・・・フランジ
５００・・・・・火床カバー
５１０・・・・第１箱部
５２０・・・・第２箱部
５３０・・・・中間部（伸縮構造）
６００・・・・・火床カバー
６１０・・・・底板
６２０・・・・周壁（伸縮構造）
【図１Ｃ】
2015084889.tif 000003
【図２Ａ】
2015084889.tif 000004
【図２Ｂ】
2015084889.tif 000005
【図３Ａ】
2015084889.tif 000006
【図３Ｂ】
2015084889.tif 000007
【図４Ａ】
2015084889.tif 000008
【図４Ｂ】
2015084889.tif 000009
【図５Ａ】
2015084889.tif 000010
【図５Ｂ】
2015084889.tif 000011
【図１Ａ】
2015084889.tif 000012
【図１Ｂ】
2015084889.tif 000013
【図６】
2015084889.tif 000014
【図７】
2015084889.tif 000015
【手続補正書】
【提出日】平成26年5月12日(2014.5.12)
【手続補正１】
【補正対象書類名】特許請求の範囲
【補正対象項目名】全文
【補正方法】変更
【補正の内容】
【特許請求の範囲】
【請求項１】
可撓性を有する金属箔で構成された箱であって、火床内に配置され、加熱燃料を収容可能である火床カバーであって、
当該火床カバーを長手方向、短手方向、半径方向又は高さ方向に伸縮させることが可能な伸縮構造を備えている火床カバー。
【請求項２】
請求項１記載の火床カバーにおいて、
第１箱部と、
第２箱部とをさらに備えており、
前記第１箱部は、第１底板と、
前記第１底板上に設けられた平面視略Ｕ字状であり且つ前記長手方向又は前記短手方向の一方に開口した第１開口を有する第１周壁とを有しており、
前記第２箱部は、第２底板と、
前記第２底板上に設けられた平面視略Ｕ字状であり且つ前記長手方向又は前記短手方向の他方に開口した第２開口を有する第２周壁とを有しており、
前記伸縮構造は、前記第１箱部の前記第１開口が前記第２箱部内に位置するように、前記第１箱部が前記第２箱部の前記第２開口から当該第２箱部内に挿入され、且つ前記第１箱部が前記第２箱部に対して前記長手方向又は前記短手方向にスライド自在に重合した構造である火床カバー。
【請求項３】
請求項２に記載の火床カバーにおいて、
前記第１、第２箱部に設けられた第１、第２係合部をさらに備えており、
前記第１箱部が前記第２箱部に対して重合する重合量が相違する複数の箇所で、前記第１、第２係合部が相互に係合可能である火床カバー。
【請求項４】
請求項３記載の火床カバーにおいて、
前記第１係合部は、前記第１箱部に前記長手方向又は前記短手方向に間隔をあけて設けられた複数の第１凸部と、
前記第１凸部の裏側に設けられた複数の第１凹部とを有しており、
前記第２係合部は、前記第２箱部に前記長手方向又は前記短手方向に間隔をあけて設けられており且つ前記第１凹部に係合可能である複数の第２凸部と、
前記第２凸部の裏側に設けられた複数の第２凹部とを有している火床カバー。
【請求項５】
請求項３記載の火床カバーにおいて、
前記第１係合部は、前記第１箱部に前記長手方向又は前記短手方向に間隔をあけて設けられた複数の第１凹部を有しており、
前記第２係合部は、前記第２箱部に前記長手方向又は前記短手方向に間隔をあけて設けられており且つ前記第１凹部に係合可能である複数の第２凸部を有している火床カバー。
【請求項６】
請求項１記載の火床カバーにおいて、
第１箱部と、
第２箱部とをさらに備えており、
前記第１箱部は、第１底板と、
前記第１底板上に設けられた平面視略半円状であり且つ前記半径方向の一方に開口した第１開口を有する第１周壁とを有しており、
前記第２箱部は、第２底板と、
前記第２底板上に設けられた平面視略半円状であり且つ前記半径方向の他方に開口した第２開口を有する第２周壁とを有しており、
前記伸縮構造は、前記第１箱部の前記第１開口が前記第２箱部内に位置するように、前
記第１箱部が前記第２箱部の前記第２開口から当該第２箱部内に挿入され、且つ前記第１箱部が前記第２箱部に対して前記半径方向にスライド自在に重合した構造である火床カバー。
【請求項７】
請求項６記載の火床カバーにおいて、
前記第１、第２箱部に設けられた第１、第２係合部をさらに備えており、
前記第１箱部が前記第２箱部に対して重合する重合量が相違する複数の箇所で、前記第１、第２係合部が相互に係合可能である火床カバー。
【請求項８】
請求項７記載の火床カバーにおいて、
前記第１係合部は、前記第１箱部の前記第１周壁に当該火床カバーの周方向に間隔をあけて設けられた複数の第１凸部と、
前記第１凸部の裏側に設けられた複数の第１凹部とを有しており、
前記第２係合部は、前記第２箱部の前記第２周壁に前記周方向に間隔をあけて設けられており且つ前記第１凹部に係合可能である複数の第２凸部と、
前記第２凸部の裏側に設けられた複数の第２凹部を有している火床カバー。
【請求項９】
請求項７記載の火床カバーにおいて、
前記第１係合部は、前記第１箱部の前記第１周壁に当該火床カバーの周方向に間隔をあけて設けられた複数の第１凹部を有しており、
前記第２係合部は、前記第２箱部の前記第２周壁に前記周方向に間隔をあけて設けられており且つ前記第１凹部に係合可能である複数の第２凸部を有している火床カバー。
【請求項１０】
請求項２〜９の何れかに記載の火床カバーにおいて、
前記第１箱部は、前記第１周壁の上端に設けられ、外側に延びており且つ前記火床の周壁上又はフランジ上に載置可能な第１フランジをさらに有し、
前記第２箱部は、前記第２周壁の上端に設けられ、外側に延びており且つ前記火床の前記周壁上又はフランジ上に載置可能な第２フランジをさらに有している火床カバー。
【請求項１１】
請求項１記載の火床カバーにおいて、
筒部と、
本体部とを備えており、
前記本体部は、底板と、
前記底板上に設けられた筒である周壁とを有しており、
前記伸縮構造は、前記本体部の前記周壁が前記筒部に内嵌又は外嵌し、且つ前記本体部の前記周壁が前記筒部に対して前記高さ方向にスライド自在に重合した構造である火床カバー。
【請求項１２】
請求項１１記載の火床カバーにおいて、
前記本体部の前記周壁に設けられた第１係合部と、
前記筒部に設けられた第２係合部とをさらに備えており、
前記本体部の前記周壁が前記筒部に対して重合する重合量が相違する複数の箇所で、前記第１、第２係合部が相互に係合可能である火床カバー。
【請求項１３】
請求項１２記載の火床カバーにおいて、
前記第１係合部は、前記本体部の前記周壁に前記高さ方向に間隔をあけて設けられた複数の第１凸部と、
前記第１凸部の裏側に設けられた複数の第１凹部とを有しており、
前記第２係合部は、前記筒部に前記高さ方向に間隔をあけて設けられており且つ前記第１凹部に係合可能である複数の第２凸部と、
前記第２凸部の裏側に設けられた複数の第２凹部とを有している火床カバー。
【請求項１４】
請求項１２記載の火床カバーにおいて、
前記第１係合部は、前記本体部の前記周壁に前記高さ方向に間隔をあけて設けられた複数の第１凹部を有しており、
前記第２係合部は、前記筒部に前記高さ方向に間隔をあけて設けられており且つ前記第１凹部に係合可能である複数の第２凸部を有している火床カバー。
【請求項１５】
請求項１２記載の火床カバーにおいて、
前記第２係合部は、前記筒部に前記高さ方向に間隔をあけて設けられた複数の第２凸部と、
前記第２凸部の裏側に設けられた複数の第２凹部とを有しており、
前記第１係合部は、前記本体部の前記周壁に前記高さ方向に間隔をあけて設けられており且つ前記第２凹部に係合可能な複数の第１凸部と、
前記第１凸部の裏側に設けられた複数の第１凹部とを有している火床カバー。
【請求項１６】
請求項１２記載の火床カバーにおいて、
前記第２係合部は、前記筒部に前記高さ方向に間隔をあけて設けられた複数の第２凹部を有しており、
前記第１係合部は、前記本体部の前記周壁に前記高さ方向に間隔をあけて設けられており且つ前記第２凹部に係合可能な複数の第１凸部を有している火床カバー。
【請求項１７】
請求項１１〜１６の何れかに記載の火床カバーにおいて、
前記筒部の上端に設けられ、外側に延びており且つ前記火床の周壁上又はフランジ上に載置可能なフランジをさらに備えている火床カバー。
【請求項１８】
請求項１記載の火床カバーにおいて、
底板と、
前記底板の端に設けられた周壁とをさらに備えており、
前記伸縮構造は、前記底板および前記周壁に設けられた蛇腹部を有しており、
前記蛇腹部は、前記長手方向又は前記短手方向に伸縮可能である火床カバー。
【請求項１９】
請求項１記載の火床カバーにおいて、
底板と、
前記底板の端に設けられた周壁とをさらに備えており、
前記伸縮構造は、前記周壁に設けられており且つ前記高さ方向に伸縮可能である蛇腹部を有している火床カバー。
【請求項２０】
請求項１８〜１９の何れかに記載の火床カバーにおいて、
前記周壁の上端に設けられ、外側に延びており且つ前記火床の周壁上又はフランジ上に載置可能なフランジをさらに備えている火床カバー。
【請求項２１】
火床と、
前記火床内に収容された請求項１〜２０の何れかに記載の火床カバーとを備えたバーベキューグリル。
【手続補正２】
【補正対象書類名】明細書
【補正対象項目名】０００６
【補正方法】変更
【補正の内容】
【０００６】
上記課題を解決するために、本発明の火床カバーは、可撓性を有する金属箔で構成された箱であって、火床内に配置され、加熱燃料を収容可能である。この火床カバーは、当該火床カバーを長手方向、短手方向、半径方向又は高さ方向に伸縮させることが可能な伸縮構造を備えている。
【手続補正３】
【補正対象書類名】明細書
【補正対象項目名】００１５
【補正方法】変更
【補正の内容】
【００１５】
前記第１箱部は、第１底板と、前記第１底板上に設けられた平面視略半円状であり且つ前記半径方向の一方に開口した第１開口を有する第１周壁とを有する構成とすることが可能である。前記第２箱部は、第２底板と、前記第２底板上に設けられた平面視略半円状であり且つ前記半径方向の他方に開口した第２開口を有する第２周壁とを有する構成とすることが可能である。前記伸縮構造は、前記第１箱部の前記第１開口が前記第２箱部内に位置するように、前記第１箱部が前記第２箱部の前記第２開口から当該第２箱部内に挿入され、且つ前記第１箱部が前記第２箱部に対して前記半径方向にスライド自在に重合した構造とすることが可能である。
【手続補正４】
【補正対象書類名】明細書
【補正対象項目名】００１６
【補正方法】変更
【補正の内容】
【００１６】
このような態様の火床カバーによる場合、伸縮構造が、第１箱部が第２箱部に対して半径方向にスライド自在に重合した簡単な構造であるため、当該火床カバーの低コスト化を図ることができる。
【手続補正５】
【補正対象書類名】明細書
【補正対象項目名】００１９
【補正方法】変更
【補正の内容】
【００１９】
前記第１係合部は、複数の第１凸部と、複数の第１凹部とを有する構成とすることが可能である。前記第１凸部は、前記第１箱部の前記第１周壁に当該火床カバーの周方向に間隔をあけて設けられた構成とすることが可能である。前記第１凹部は、前記第１凸部の裏側に設けられた構成とすることが可能である。前記第２係合部は、複数の第２凸部と、複数の第２凹部とを有する構成とすることが可能である。前記第２凸部は、前記第２箱部の前記第２周壁に前記周方向に間隔をあけて設けられており且つ前記第１凹部に係合可能な構成とすることが可能である。前記第２凹部は、前記第２凸部の裏側に設けられた構成とすることが可能である。
【手続補正６】
【補正対象書類名】明細書
【補正対象項目名】００２０
【補正方法】変更
【補正の内容】
【００２０】
又は、前記第１係合部は、複数の第１凹部を有する構成とすることが可能である。前記第１凹部は、前記第１箱部の前記第１周壁に当該火床カバーの周方向に間隔をあけて設けられた構成とすることが可能である。前記第２係合部は、複数の第２凸部を有する構成とすることが可能である。前記第２凸部は、前記第２箱部の前記第２周壁に前記周方向に間隔をあけて設けられており且つ前記第１凹部に係合可能な構成とすることが可能である。
【手続補正７】
【補正対象書類名】明細書
【補正対象項目名】００４９
【補正方法】変更
【補正の内容】
【００４９】
第１フランジ１１３は、第１周壁１１２（Ｙ、Ｘ１およびＸ２側壁１１２ａ、１１２ｂ、１１２ｃ）の上端に設けられた金属箔（例えば、アルミ箔）製の平面視略Ｕ字状の板である。
【手続補正８】
【補正対象書類名】明細書
【補正対象項目名】００５２
【補正方法】変更
【補正の内容】
【００５２】
Ｙ側壁１２２ａは、第２底板１２１の第１端に立設された台形状の板であって、Ｘ１、Ｘ２側壁１２２ｂ、１２２ｃを連結している。Ｙ側壁１２２ａは、Ｙ側壁１２２ａと第１箱部１１０の第１周壁１１２のＹ側壁１１２ａとの間の距離が漸次離れるように斜め上方に延びている。換言すると、Ｙ側壁１２２ａは、長手方向Ｙの他方側（火床カバー１００の外側）に傾斜している。Ｙ側壁１２２ａは、火床２００の周壁２２０の第２側壁２２２に対して間隙Ｇ（図２Ａ参照）を有して対向配置可能である。Ｙ側壁１２２ａの下端部には、当該Ｙ側壁１２２ａを貫通した複数の第２通気孔１２２ｅが短手方向Ｘに間隔をあけて設けられている。第２通気孔１２２ｅは間隙Ｇを介して火床２００の通気孔２４０（図２Ｂ参照）に連通可能（通気可能）である。
【手続補正９】
【補正対象書類名】明細書
【補正対象項目名】００５５
【補正方法】変更
【補正の内容】
【００５５】
第２フランジ１２３は、第２周壁１２２（Ｙ、Ｘ１、Ｘ２側壁１２２ａ、１２２ｂ、１２２ｃ）の上端に設けられた金属箔（例えば、アルミ箔）製の平面視略Ｕ字状の板である。
【手続補正１０】
【補正対象書類名】明細書
【補正対象項目名】００５６
【補正方法】変更
【補正の内容】
【００５６】
伸縮構造Ｓ１は、Ｘ１、Ｘ２側壁１１２ｂ、１１２ｃの一部および第１開口１１２ｄが第２箱部１２０内に位置するように、第１箱部１１０が第２開口１２２ｄから当該第２箱部１２０内に挿入されており、且つ第１箱部１１０が第２箱部１２０に対して長手方向Ｙにスライド自在に重合した構造となっている。本実施例１では、第１箱部１１０の第１底板１１１およびＸ１、Ｘ２側壁１１２ｂ、１１２ｃが、第２箱部１２０の第２底板１２１およびＸ１、Ｘ２側壁１２２ｂ、１２２ｃにスライド自在に重合している。
【手続補正１１】
【補正対象書類名】明細書
【補正対象項目名】００６３
【補正方法】変更
【補正の内容】
【００６３】
底板２１０は、金属製（例えば、ステンレスやスチール製）の矩形状の板である。底板２１０は、第１端２１１と、第２端２１２と、第３端２１３と、第４端２１４とを有している。第１端２１１は、底板２１０の長手方向Ｙの一方側の端である。第２端２１２は、底板２１０の長手方向Ｙの他方側（第１端２１１の反対側）の端である。第３端２１３は、底板２１０の短手方向Ｘの一方側の端である。第４端２１４は、底板２１０の短手方向Ｘの他方側（第３端２１３の反対側）の端である。
【手続補正１２】
【補正対象書類名】明細書
【補正対象項目名】００６５
【補正方法】変更
【補正の内容】
【００６５】
第３側壁２２３は、底板２１０の第３端２１３に立設された金属製（例えば、ステンレスやスチール製）の矩形状の板である。第３側壁２２３は、第１、第２側壁２２１、２２２の短手方向Ｘの一端間を連結している。第４側壁２２４は、底板２１０の第４端２１４に立設された金属製（例えば、ステンレスやスチール製）の矩形状の板である。第４側壁２２４は、第１、第２側壁２２１、２２２の短手方向Ｘの他端間を連結している。第３側壁２２３と第４側壁２２４とは、当該第３、第４側２２３、２２４間の距離が漸次離れるように斜め上方に延びている。換言すると、第３側壁２２３は、短手方向Ｘの一方側（火床２００の外側）に傾斜しており、第４側壁２２４は、短手方向Ｘの他方側（火床２００の外側）に傾斜している。
【手続補正１３】
【補正対象書類名】明細書
【補正対象項目名】００６９
【補正方法】変更
【補正の内容】
【００６９】
上述の通り長さ調整された火床カバー１００を火床２００に収容させる。すると、火床カバー１００の第１、第２底板１１１、１２１が火床２００の底板２１０に当接する。火床カバー１００の第１箱部１１０のＸ１、Ｘ２側壁１１２ｂ、１１２ｃおよび第２箱部１２０のＸ１、Ｘ２側壁１２２ｂ、１２２ｃが、火床２００の第３、第４側壁２２３、２２４に当接する。火床カバー１００の第１、第２箱部１１０、１２０の第１、第２フランジ１１３、１２３が、火床２００のフランジ２３０上に載置される。このようにして火床カバー１００が火床２００に支持される。これと共に、火床カバー１００の第１箱部１１０のＹ側壁１１２ａが火床２００の第１側壁２２１に間隙Ｇを有して対向配置され、第２箱部１２０のＹ側壁１２２ａが火床２００の第２側壁２２２に間隙Ｇを有して対向配置される。これにより、Ｙ側壁１１２ａの第１通気孔１１２ｅ、間隙Ｇおよび第１側壁２２１の通気孔２４０が通じる。Ｙ側壁１２２ａの第２通気孔１２２ｅ、間隙Ｇおよび第２側壁２２２の通気孔２４０が通じる。
【手続補正１４】
【補正対象書類名】明細書
【補正対象項目名】０１３０
【補正方法】変更
【補正の内容】
【０１３０】
第１フランジ５１３は、第１周壁５１２（Ｙ、Ｘ１およびＸ２側壁５１２ａ、１１２ｂ、５１２ｃ）の上端に設けられた金属箔（例えば、アルミ箔）製の平面視略Ｕ字状の板である。
【手続補正１５】
【補正対象書類名】明細書
【補正対象項目名】０１３３
【補正方法】変更
【補正の内容】
【０１３３】
Ｙ側壁５２２ａは、第２底板５２１の第１端に立設された台形状の板であって、Ｘ１、Ｘ２側壁５２２ｂ、５２２ｃを連結している。Ｙ側壁５２２ａは、Ｙ側壁５２２ａと第１箱部５１０の第１周壁５１２のＹ側壁５１２ａとの間の距離が漸次離れるように斜め上方に延びている。換言すると、Ｙ側壁５２２ａは、長手方向Ｙの他方側（火床カバー５００の外側）に傾斜している。Ｙ側壁５２２ａは、火床２００の周壁２２０の第２側壁２２２に対して間隙を有して対向配置可能である。Ｙ側壁５２２ａの下端部には、当該Ｙ側壁５２２ａを貫通した複数の第２通気孔５２２ｄが短手方向Ｘに間隔をあけて設けられている。第２通気孔５２２ｄは間隙を介して火床２００の通気孔２４０（図２Ｂ参照）に連通可能（通気可能）である。
【手続補正１６】
【補正対象書類名】明細書
【補正対象項目名】０１３５
【補正方法】変更
【補正の内容】
【０１３５】
第２フランジ５２３は、第２周壁５２２（Ｙ、Ｘ１、Ｘ２側壁５２２ａ、１２２ｂ、５２２ｃ）の上端に設けられた金属箔（例えば、アルミ箔）製の平面視略Ｕ字状の板である。
【手続補正１７】
【補正対象書類名】明細書
【補正対象項目名】０１３６
【補正方法】変更
【補正の内容】
【０１３６】
中間部５３０は、火床カバー５００の第１、第２箱部５１０、５２０の間に設けられた長手方向Ｙに伸縮可能な蛇腹部である。中間部５３０は、蛇腹である底板、一対の側壁および一対のフランジを有している。底板は、第１、第２底板５１１、５２１を連結している。一対の側壁のうち一方の側壁は、底板の短手方向Ｘの一端に設けられ、Ｘ１側壁５１２ｂ、５２２ｂを連結している。他方の側壁は、底板の短手方向Ｘの他端に設けられ、Ｘ２側壁５１２ｃ、５２２ｃを連結している。一対のフランジのうち一方のフランジは、一方の側壁の上端に連接され、第１、第２フランジ５１３、５２３の一端を連結している。他方のフランジは、他方の側壁の上端に連接され、第１、第２フランジ５１３、５２３の他端を連結している。このように第１、第２箱部５１０、５２０および中間部５３０の底板が、火床カバー５００の底板をなしている。第１、第２箱部５１０、５２０および中間部５３０の全ての側壁が、火床カバー５００の周壁をなしている。第１、第２箱部５１０、５２０および中間部５３０のフランジが、火床カバー５００のフランジをなしている。
【手続補正１８】
【補正対象書類名】明細書
【補正対象項目名】０１３９
【補正方法】変更
【補正の内容】
【０１３９】
上述の通り長さ調整された火床カバー５００を火床２００に収容させる。すると、火床カバー５００の底板が火床２００の底板２１０に当接する。火床カバー５００の第１箱部５１０のＸ１、Ｘ２側壁５１２ｂ、５１２ｃ、第２箱部５２０のＸ１、Ｘ２側壁５２２ｂ、５２２ｃおよび中間部５３０の側壁が、火床２００の第３、第４側壁２２３、２２４に当接する。火床カバー５００の第１、第２箱部５１０、５２０の第１、第２フランジ５１３、５２３が、火床２００のフランジ２３０上に載置される。このようにして火床カバー５００が火床２００に支持される。これと共に、火床カバー５００の第１箱部５１０のＹ側壁５１２ａが火床２００の第１側壁２２１に間隙を有して対向配置され、第２箱部５２０のＹ側壁５２２ａが火床２００の第２側壁２２２に間隙を有して対向配置される。これにより、Ｙ側壁５１２ａの第１通気孔５１２ｄ、間隙および第１側壁２２１の通気孔２４０が通じる。Ｙ側壁５２２ａの第２通気孔５２２ｄ、間隙および第２側壁２２２の通気孔２４０が通じる。
【手続補正書】
【提出日】平成26年10月3日(2014.10.3)
【手続補正１】
【補正対象書類名】特許請求の範囲
【補正対象項目名】全文
【補正方法】変更
【補正の内容】
【特許請求の範囲】
【請求項１】
可撓性を有する金属箔で構成された箱であって、バーベキューグリルの金属板で構成された火床内に配置され、加熱燃料を収容可能である火床カバーであって、
当該火床カバーを長手方向、短手方向、半径方向又は高さ方向に伸縮させることが可能な伸縮構造を備えている火床カバー。
【請求項２】
請求項１記載の火床カバーにおいて、
第１箱部と、
第２箱部とをさらに備えており、
前記第１箱部は、第１底板と、
前記第１底板上に設けられた平面視略Ｕ字状であり且つ前記長手方向又は前記短手方向の一方に開口した第１開口を有する第１周壁とを有しており、
前記第２箱部は、第２底板と、
前記第２底板上に設けられた平面視略Ｕ字状であり且つ前記長手方向又は前記短手方向の他方に開口した第２開口を有する第２周壁とを有しており、
前記伸縮構造は、前記第１箱部の前記第１開口が前記第２箱部内に位置するように、前記第１箱部が前記第２箱部の前記第２開口から当該第２箱部内に挿入され、且つ前記第１箱部が前記第２箱部に対して前記長手方向又は前記短手方向にスライド自在に重合した構造である火床カバー。
【請求項３】
請求項２に記載の火床カバーにおいて、
前記第１、第２箱部に設けられた第１、第２係合部をさらに備えており、
前記第１箱部が前記第２箱部に対して重合する重合量が相違する複数の箇所で、前記第１、第２係合部が相互に係合可能である火床カバー。
【請求項４】
請求項３記載の火床カバーにおいて、
前記第１係合部は、前記第１箱部に前記長手方向又は前記短手方向に間隔をあけて設けられた複数の第１凸部と、
前記第１凸部の裏側に設けられた複数の第１凹部とを有しており、
前記第２係合部は、前記第２箱部に前記長手方向又は前記短手方向に間隔をあけて設けられており且つ前記第１凹部に係合可能である複数の第２凸部と、
前記第２凸部の裏側に設けられた複数の第２凹部とを有している火床カバー。
【請求項５】
請求項３記載の火床カバーにおいて、
前記第１係合部は、前記第１箱部に前記長手方向又は前記短手方向に間隔をあけて設けられた複数の第１凹部を有しており、
前記第２係合部は、前記第２箱部に前記長手方向又は前記短手方向に間隔をあけて設けられており且つ前記第１凹部に係合可能である複数の第２凸部を有している火床カバー。
【請求項６】
請求項１記載の火床カバーにおいて、
第１箱部と、
第２箱部とをさらに備えており、
前記第１箱部は、第１底板と、
前記第１底板上に設けられた平面視略半円状であり且つ前記半径方向の一方に開口した第１開口を有する第１周壁とを有しており、
前記第２箱部は、第２底板と、
前記第２底板上に設けられた平面視略半円状であり且つ前記半径方向の他方に開口した第２開口を有する第２周壁とを有しており、
前記伸縮構造は、前記第１箱部の前記第１開口が前記第２箱部内に位置するように、前
記第１箱部が前記第２箱部の前記第２開口から当該第２箱部内に挿入され、且つ前記第１箱部が前記第２箱部に対して前記半径方向にスライド自在に重合した構造である火床カバー。
【請求項７】
請求項６記載の火床カバーにおいて、
前記第１、第２箱部に設けられた第１、第２係合部をさらに備えており、
前記第１箱部が前記第２箱部に対して重合する重合量が相違する複数の箇所で、前記第１、第２係合部が相互に係合可能である火床カバー。
【請求項８】
請求項７記載の火床カバーにおいて、
前記第１係合部は、前記第１箱部の前記第１周壁に当該火床カバーの周方向に間隔をあけて設けられた複数の第１凸部と、
前記第１凸部の裏側に設けられた複数の第１凹部とを有しており、
前記第２係合部は、前記第２箱部の前記第２周壁に前記周方向に間隔をあけて設けられており且つ前記第１凹部に係合可能である複数の第２凸部と、
前記第２凸部の裏側に設けられた複数の第２凹部を有している火床カバー。
【請求項９】
請求項７記載の火床カバーにおいて、
前記第１係合部は、前記第１箱部の前記第１周壁に当該火床カバーの周方向に間隔をあけて設けられた複数の第１凹部を有しており、
前記第２係合部は、前記第２箱部の前記第２周壁に前記周方向に間隔をあけて設けられており且つ前記第１凹部に係合可能である複数の第２凸部を有している火床カバー。
【請求項１０】
請求項２〜９の何れかに記載の火床カバーにおいて、
前記第１箱部は、前記第１周壁の上端に設けられ、外側に延びており且つ前記火床の周壁上又はフランジ上に載置可能な第１フランジをさらに有し、
前記第２箱部は、前記第２周壁の上端に設けられ、外側に延びており且つ前記火床の前記周壁上又はフランジ上に載置可能な第２フランジをさらに有している火床カバー。
【請求項１１】
請求項１記載の火床カバーにおいて、
筒部と、
本体部とを備えており、
前記本体部は、底板と、
前記底板上に設けられた筒である周壁とを有しており、
前記伸縮構造は、前記本体部の前記周壁が前記筒部に内嵌又は外嵌し、且つ前記本体部の前記周壁が前記筒部に対して前記高さ方向にスライド自在に重合した構造である火床カバー。
【請求項１２】
請求項１１記載の火床カバーにおいて、
前記本体部の前記周壁に設けられた第１係合部と、
前記筒部に設けられた第２係合部とをさらに備えており、
前記本体部の前記周壁が前記筒部に対して重合する重合量が相違する複数の箇所で、前記第１、第２係合部が相互に係合可能である火床カバー。
【請求項１３】
請求項１２記載の火床カバーにおいて、
前記第１係合部は、前記本体部の前記周壁に前記高さ方向に間隔をあけて設けられた複数の第１凸部と、
前記第１凸部の裏側に設けられた複数の第１凹部とを有しており、
前記第２係合部は、前記筒部に前記高さ方向に間隔をあけて設けられており且つ前記第１凹部に係合可能である複数の第２凸部と、
前記第２凸部の裏側に設けられた複数の第２凹部とを有している火床カバー。
【請求項１４】
請求項１２記載の火床カバーにおいて、
前記第１係合部は、前記本体部の前記周壁に前記高さ方向に間隔をあけて設けられた複数の第１凹部を有しており、
前記第２係合部は、前記筒部に前記高さ方向に間隔をあけて設けられており且つ前記第１凹部に係合可能である複数の第２凸部を有している火床カバー。
【請求項１５】
請求項１２記載の火床カバーにおいて、
前記第２係合部は、前記筒部に前記高さ方向に間隔をあけて設けられた複数の第２凸部と、
前記第２凸部の裏側に設けられた複数の第２凹部とを有しており、
前記第１係合部は、前記本体部の前記周壁に前記高さ方向に間隔をあけて設けられており且つ前記第２凹部に係合可能な複数の第１凸部と、
前記第１凸部の裏側に設けられた複数の第１凹部とを有している火床カバー。
【請求項１６】
請求項１２記載の火床カバーにおいて、
前記第２係合部は、前記筒部に前記高さ方向に間隔をあけて設けられた複数の第２凹部を有しており、
前記第１係合部は、前記本体部の前記周壁に前記高さ方向に間隔をあけて設けられており且つ前記第２凹部に係合可能な複数の第１凸部を有している火床カバー。
【請求項１７】
請求項１１〜１６の何れかに記載の火床カバーにおいて、
前記筒部の上端に設けられ、外側に延びており且つ前記火床の周壁上又はフランジ上に載置可能なフランジをさらに備えている火床カバー。
【請求項１８】
請求項１記載の火床カバーにおいて、
底板と、
前記底板の端に設けられた周壁とをさらに備えており、
前記伸縮構造は、前記底板および前記周壁に設けられた蛇腹部を有しており、
前記蛇腹部は、前記長手方向又は前記短手方向に伸縮可能である火床カバー。
【請求項１９】
請求項１記載の火床カバーにおいて、
底板と、
前記底板の端に設けられた周壁とをさらに備えており、
前記伸縮構造は、前記周壁に設けられており且つ前記高さ方向に伸縮可能である蛇腹部を有している火床カバー。
【請求項２０】
請求項１８〜１９の何れかに記載の火床カバーにおいて、
前記周壁の上端に設けられ、外側に延びており且つ前記火床の周壁上又はフランジ上に載置可能なフランジをさらに備えている火床カバー。
【請求項２１】
火床と、
前記火床内に収容された請求項１〜２０の何れかに記載の火床カバーとを備えたバーベキューグリル。
【手続補正２】
【補正対象書類名】明細書
【補正対象項目名】０００６
【補正方法】変更
【補正の内容】
【０００６】
上記課題を解決するために、本発明の火床カバーは、可撓性を有する金属箔で構成された箱であって、バーベキューグリルの金属板で構成された火床内に配置され、加熱燃料を収容可能である。この火床カバーは、当該火床カバーを長手方向、短手方向、半径方向又は高さ方向に伸縮させることが可能な伸縮構造を備えている。